(57)【特許請求の範囲】
【請求項１】
データ領域に位置するダウンリンク制御チャネルを端末（ＵＥ）が受信する方法において、
サブフレームでＫ個のＥＰＤＣＣＨセット（Enhanced Physical Downlink Control Channel sets）の各々を形成するＮ個の物理的資源ブロック（Physical Resource Block：ＰＲＢ）の対のデータ領域を通じて、向上した物理的ダウンリンク制御チャネル（Enhanced Physical Downlink Control Channel：ＥＰＤＣＣＨ）を送受信ポイントから受信し、ここに、（i）前記Ｋと前記Ｎは１以上の自然数であり、（ii）前記Ｎ個のＰＲＢの対の各々は１６個の向上したリソースエレメントグループ（Enhanced Resource Element Groups：ＥＲＥＧｓ）を含み、（iii）ＥＰＤＣＣＨ転送の基本単位に該当する向上した制御チャネル要素（Enhanced Control Channel Element：ＥＣＣＥ））は４個または８個のＥＲＥＧを含み、
ＥＰＤＣＣＨ  ＵＥ−特定の検索空間でダウンリンク制御情報（Downlink Control Information：ＤＣＩ）フォーマットに応じ、対応するＥＰＤＣＣＨセット内で前記ＥＰＤＣＣＨをデコーディングし、ここに、前記ＥＰＤＣＣＨのデコーディングと関連する前記ＥＣＣＥは端末のＲＮＴＩ（radio network temporary identifier）、前記サブフレームのインデックス、集合レベル（aggregation level）及び該当ＥＰＤＣＣＨセットの総ＥＣＣＥの個数の関数により定義され、
前記ＥＰＤＣＣＨをデコーディングすることは、
前記集合レベルに対応するＥＣＣＥの個数を単位として不連続的なＥＣＣＥをモニタリングすることを含み、
前記不連続的なＥＣＣＥのＥＣＣＥホッピング値を、対応するＥＰＤＣＣＨセットの総ＥＣＣＥの個数、集合レベル、及び対応する集合レベルに基づいて前記端末がモニタリングするＥＰＤＣＣＨ候補の個数の関数を用いて決定することを含む、方法 。
【請求項２】
前記端末がキャリア指示フィールドを有するように構成された場合、前記ＥＣＣＥを定義した関数に前記キャリア指示フィールド値が適用される、請求項１に記載の方法。
【請求項３】
前記ＥＰＤＣＣＨセットは局所型ＥＰＤＣＣＨ転送および分散型ＥＰＤＣＣＨ転送のうちの１つで形成されている、請求項１に記載の方法。
【請求項４】
前記集合レベル（aggregation level）は１、２、４、８、１６および３２のうちの１つとして選択される、請求項３に記載の方法。
【請求項５】
データ領域に位置するダウンリンク制御チャネルを端末（ＵＥ）が受信する方法において、
サブフレームでＫ個のＥＰＤＣＣＨセット（Enhanced Physical Downlink Control Channel sets）の各々を形成するＮ個の物理的資源ブロック（Physical Resource Block：ＰＲＢ）の対のデータ領域を通じて、向上した物理的ダウンリンク制御チャネル（Enhanced Physical Downlink Control Channel：ＥＰＤＣＣＨ）を送受信ポイントから受信し、ここに、（i）前記Ｋと前記Ｎは１以上の自然数であり、（ii）前記Ｎ個のＰＲＢの対の各々は１６個の向上したリソースエレメントグループ（Enhanced Resource Element Groups：ＥＲＥＧｓ）を含み、（iii）ＥＰＤＣＣＨ転送の基本単位に該当する向上した制御チャネル要素（Enhanced Control Channel Element：ＥＣＣＥ））は４個または８個のＥＲＥＧを含み、
ＥＰＤＣＣＨ  ＵＥ−特定の検索空間でダウンリンク制御情報（Downlink Control Information：ＤＣＩ）フォーマットに応じ、対応するＥＰＤＣＣＨセット内で前記ＥＰＤＣＣＨをデコーディングし、ここに、前記ＥＰＤＣＣＨのデコーディングと関連する前記ＥＣＣＥは端末のＲＮＴＩ（radio network temporary identifier）、前記サブフレームのインデックス、集合レベル（aggregation level）及び該当ＥＰＤＣＣＨセットの総ＥＣＣＥの個数の関数により定義され、
前記ＥＰＤＣＣＨセットは局所型ＥＰＤＣＣＨ転送および分散型ＥＰＤＣＣＨ転送のうちの１つで形成され、
前記集合レベル（aggregation level）は１、２、４、８、１６および３２のうちの１つとして選択され、
（i）ノーマルサブフレーム及びノーマルサイクリックプレフィックス（ＣＰ）について、ＥＰＤＣＣＨ転送可能なＲＥの数がしきい値（Xthresh）より小さい場合、ならびに特殊サブフレーム構成（special subframe configuration）３、４、８およびノーマルＣＰについて、ＥＰＤＣＣＨ転送可能なＲＥの数がしきい値（Xthresh）より小さい場合、局所型ＥＰＤＣＣＨ転送の前記集合レベルは２、４、８および１６のうちの１つとして選択され、分散型ＥＰＤＣＣＨ転送の前記集合レベルは２、４、８、１６および３２のうちの１つとして選択され、
（ii）そうでなければ、局所型の前記集合レベルは１、２、４および８のうちの１つとして選択され、分散型ＥＰＤＣＣＨ転送の前記集合レベルは１、２、４、８および１６のうちの１つとして選択される方法。
【請求項６】
送受信ポイントが端末（ＵＥ）−特定の検索空間で、データ領域に位置するダウンリンク制御チャネルを設定する方法において、
物理的ダウンリンク制御チャネル（Enhanced Physical Downlink Control Channel：ＥＰＤＣＣＨ）ＵＥ−特定の検索空間で、ＥＰＤＣＣＨの転送の基本単位に対応する向上した制御チャネル要素（Enhanced Control Channel Element：ＥＣＣＥ）を定義し、ここに、（i）前記ＥＰＤＣＣＨはサブフレームでＫ個のＥＰＤＣＣＨセット（Enhanced Physical Downlink Control Channel sets）の各々を形成するＮ個の物理的資源ブロック（Physical Resource Block：ＰＲＢ）の対のデータ領域に位置し、（ii）前記Ｋと前記Ｎは１以上の自然数であり、（iii）前記Ｎ個のＰＲＢの対の各々は１６個の向上したリソースエレメントグループ（Enhanced Resource Element Groups：ＥＲＥＧｓ）を含み、（iv）ＥＣＣＥのそれぞれはは４個または８個のＥＲＥＧを含み、（v）前記ＥＣＣＥは端末のＲＮＴＩ（radio network temporary identifier）、前記サブフレームのインデックス、集合レベル（aggregation level）、及び対応するＥＰＤＣＣＨセットの総ＥＣＣＥの個数の関数により定義され、
前記ＥＣＣＥを定義することは、
集合レベルに対応するＥＣＣＥ個数を単位として不連続的になるように前記ＥＣＣＥを定義することを含み、
前記不連続的なＥＣＣＥのＥＣＣＥホッピング値は、対応するＥＰＤＣＣＨセットの総ＥＣＣＥの個数、集合レベル、及び対応する集合レベルに基づいて前記端末がモニタリングするＥＰＤＣＣＨ候補の個数の関数により決定され、
前記ＥＰＤＣＣＨ  ＵＥ−特定の検索空間に定義された前記ＥＣＣＥを前記ＥＰＤＣＣＨを介して前記端末に転送する、方法。
【請求項７】
前記端末にキャリア指示フィールドを有するように構成する場合、前記ＥＣＣＥを定義する関数に前記キャリア指示フィールド値が適用される、請求項６に記載の方法。
【請求項８】
ＥＰＤＣＣＨセットそれぞれは、局所型ＥＰＤＣＣＨ転送および分散型ＥＰＤＣＣＨ転送のうちの１つで形成される、請求項６に記載の方法。
【請求項９】
前記集合レベル（aggregation level）は１、２、４、８、１６および３２のうちの１つとして選択される、請求項８に記載の方法。
【請求項１０】
送受信ポイントが端末（ＵＥ）−特定の検索空間で、データ領域に位置するダウンリンク制御チャネルを設定する方法において、
物理的ダウンリンク制御チャネル（Enhanced Physical Downlink Control Channel：ＥＰＤＣＣＨ）ＵＥ−特定の検索空間で、ＥＰＤＣＣＨの転送の基本単位に対応する向上した制御チャネル要素（Enhanced Control Channel Element：ＥＣＣＥ）を定義し、ここに、（i）前記ＥＰＤＣＣＨはサブフレームでＫ個のＥＰＤＣＣＨセット（Enhanced Physical Downlink Control Channel sets）の各々を形成するＮ個の物理的資源ブロック（Physical Resource Block：ＰＲＢ）の対のデータ領域に位置し、（ii）前記Ｋと前記Ｎは１以上の自然数であり、（iii）前記Ｎ個のＰＲＢの対の各々は１６個の向上したリソースエレメントグループ（Enhanced Resource Element Groups：ＥＲＥＧｓ）を含み、（iv）ＥＣＣＥのそれぞれは４個または８個のＥＲＥＧを含み、（v）前記ＥＣＣＥは端末のＲＮＴＩ（radio network temporary identifier）、前記サブフレームのインデックス、集合レベル（aggregation level）、及び対応するＥＰＤＣＣＨセットの総ＥＣＣＥの個数の関数により定義され、
前記集合レベル（aggregation level）は１、２、４、８、１６および３２のうちの１つとして選択され、
（i）ノーマルサブフレーム及びノーマルサイクリックプレフィックス（ＣＰ）について、ＥＰＤＣＣＨ転送可能なリソースエレメントの数がしきい値（Xthresh）より小さい場合、ならびに特殊サブフレーム構成（special subframe configuration）３、４または８およびノーマルＣＰについて、ＥＰＤＣＣＨ転送が可能なＲＥの数がしきい値（Xthresh）より小さい場合の前記局所型ＥＰＤＣＣＨ転送の前記集合レベルは２、４、８および１６のうちの１つとして選択され、前記分散型ＥＰＤＣＣＨ転送の前記集合レベルは２、４、８、１６及び３２のうちの１つとして選択され、
（ii）そうでなければ、前記局所型の前記集合レベルは１、２、４および８のうちの１つとして選択され、前記分散型ＥＰＤＣＣＨ転送の前記集合レベルは１、２、４、８および１６のうちの１つとして選択され、
前記ＥＰＤＣＣＨ  ＵＥ−特定の検索空間に定義された前記ＥＣＣＥを前記ＥＰＤＣＣＨを介して前記端末に転送する、方法。
【請求項１１】
データ領域に位置するダウンリンク制御チャネルを受信する端末（ＵＥ）であり、
サブフレームでＫ個のＥＰＤＣＣＨセット（Enhanced Physical Downlink Control Channel sets）の各々を形成するＮ個の物理的資源ブロック（Physical Resource Block：ＰＲＢ）の対のデータ領域を通じて、向上した物理的ダウンリンク制御チャネル（Enhanced Physical Downlink Control Channel：ＥＰＤＣＣＨ）を送受信ポイントから受信し、ここに、（i）前記Ｋと前記Ｎは１以上の自然数であり、（ii）前記Ｎ個のＰＲＢの対の各々は１６個の向上したリソースエレメントグループ（Enhanced Resource Element Groups：ＥＲＥＧｓ）を含み、（iii）ＥＰＤＣＣＨ転送の基本単位に対応する向上した制御チャネル要素（Enhanced Control Channel Element：ＥＣＣＥ）は４個または８個のＥＲＥＧを含む受信部と、
ＥＰＤＣＣＨ  ＵＥ−特定の検索空間でダウンリンク制御情報（Downlink Control Information：ＤＣＩ）フォーマットに応じて対応するＥＰＤＣＣＨセット内で前記ＥＰＤＣＣＨをデコーディングするように具現され、前記ＥＰＤＣＣＨのデコーディングと関連するＥＣＣＥは前記端末のＲＮＴＩ（radio network temporary identifier）、前記サブフレームのインデックス、集合レベル（aggregation level）、及び前記対応するＥＰＤＣＣＨセットの総ＥＣＣＥの個数の関数により定義される制御部とを有し、
前記ＥＰＤＣＣＨをデコーディングすることは、
前記集合レベルに対応するＥＣＣＥの個数を単位として不連続的なＥＣＣＥをモニタリングすることを含み、
前記不連続的なＥＣＣＥのＥＣＣＥホッピング値を、対応するＥＰＤＣＣＨセットの総ＥＣＣＥの個数、集合レベル、及び対応する集合レベルに基づいて前記端末がモニタリングするＥＰＤＣＣＨ候補の個数の関数を用いて決定することを含む、端末。
【請求項１２】
ＥＰＤＣＣＨ  端末（ＵＥ）−特定の検索空間にデータ領域に位置するダウンリンク制御チャネルを設定する送受信ポイントであり、
ＥＰＤＣＣＨ  ＵＥ−特定の検索空間で、向上した物理的ダウンリンク制御チャネル（Enhanced Physical Downlink Control Channel：ＥＰＤＣＣＨ）の転送の基本単位に対応する向上した制御チャネル要素（Enhanced Control Channel Element：ＥＣＣＥ）を定義するように具現された制御部であって、（i）前記ＥＰＤＣＣＨはサブフレームでＫ個のＥＰＤＣＣＨセット（Enhanced Physical Downlink Control Channel sets）の各々を形成するＮ個の物理的資源ブロック（Physical Resource Block：ＰＲＢ）の対のデータ領域に位置し、（ii）前記Ｋと前記Ｎは１以上の自然数であり、（iii）前記Ｎ個のＰＲＢの対の各々は１６個の向上したリソースエレメントグループ（Enhanced Resource Element Groups：ＥＲＥＧｓ）を含み、（iv）ＥＣＣＥそれぞれは４個または８個のＥＲＥＧを含み、（v）前記ＥＣＣＥは端末のＲＮＴＩ（radio network temporary identifier）、サブフレームのインデックス、集合レベル（aggregation level）、及び対応するＥＰＤＣＣＨセットの総ＥＣＣＥの個数の関数により定義される制御部と、
前記ＥＰＤＣＣＨ  ＵＥ−特定の検索空間に定義された前記ＥＣＣＥを前記ＥＰＤＣＣＨを介して前記端末に転送する送信部とを含み、
前記ＥＣＣＥを定義することは、
集合レベルに対応するＥＣＣＥ個数を単位として不連続的になるように前記ＥＣＣＥを定義することを含み、
前記不連続的なＥＣＣＥのＥＣＣＥホッピング値は、対応するＥＰＤＣＣＨセットの総ＥＣＣＥの個数、集合レベル、及び対応する集合レベルに基づいて前記端末がモニタリングするＥＰＤＣＣＨ候補の個数の関数により決定される、送受信ポイント。
【発明の詳細な説明】
【技術分野】
【０００１】
本開示は、ダウンリンク制御チャネルの受信及び設定に関するものである。特に、本開示はデータ領域に位置するダウンリンク制御チャネルを受信するための方法及び装置（例えば、端末）及びダウンリンク制御チャネルを構成及び転送するための方法及び装置（例えば、送受信ポイント）に関するものである。
【０００２】
無線通信システムで制限された資源（リソース）を効率的に用いるために制御チャネルを必要とする。しかしながら、制御領域の資源はシステムのオーバーヘッド（overhead）に該当することがあり、したがって、データ転送のために用いられるデータ領域の資源を減少させることができる。より多くのユーザへのデータ転送が可能な無線通信システムにおいて、従来の制限された制御領域の資源によってシステム容量の増大が制限されることがある。
【０００３】
したがって、制御チャネルリソース（資源）を増加させるために、データ領域で空間分割多重化技法を用いた多重ユーザの制御チャネル送受信方法が要求されている。この際、この制御チャネルを介してダウンリンク制御情報（Downlink Control Information：ＤＣＩ）を受信するように端末の検索空間を設定する必要がある。
【発明の概要】
【課題を解決するための手段】
【０００４】
少なくとも１つの実施形態によれば、端末（ＵＥ）が、データ領域に位置するダウンリンク制御チャネルを受信するための方法を提供する。この方法は、サブフレームでＫ個のＥＰＤＣＣＨセット（Enhanced Physical Downlink Control Channel sets）の各々を形成するＮ個の物理的資源（リソース）ブロック（Physical Resource Block：ＰＲＢ）の対のデータ領域を通じて、向上した物理的ダウンリンク制御チャネル（Enhanced Physical Downlink Control Channel：ＥＰＤＣＣＨ）を送受信ポイントから受信し、ここに（i）上記Ｋと上記Ｎは１以上の自然数であり、（ii）上記Ｎ個のＰＲＢの対の各々は１６個の向上したリソースエレメントグループ（Enhanced Resource Element Groups：ＥＲＥＧｓ）を含み、（iii）ＥＰＤＣＣＨ転送の基本単位に該当する向上した制御チャネル要素（Enhanced Control Channel Element：ＥＣＣＥ）は４個または８個のＥＲＥＧを含み、ＥＰＤＣＣＨ  ＵＥ−特定の検索空間でダウンリンク制御情報（Downlink Control Information：ＤＣＩ）フォーマットに応じて、対応するＥＰＤＣＣＨセット内で上記ＥＰＤＣＣＨをデコーディングし、上記ＥＰＤＣＣＨのデコーディングと関連するＥＣＣＥは前記端末のＲＮＴＩ（radio network temporary identifier）、上記サブフレームのインデックス、集合レベル（aggregation level）、及び前記対応するＥＰＤＣＣＨセットの総ＥＣＣＥの個数の関数により定義される。
【０００５】
他の実施形態によれば、送受信ポイントが、端末（ＵＥ）−特定の検索空間において、データ領域に位置するダウンリンク制御チャネルを設定する方法を提供する。この方法は、ＥＰＤＣＣＨ  ＵＥ−特定の検索空間において、向上した物理的ダウンリンク制御チャネル（Enhanced Physical Downlink Control Channel：ＥＰＤＣＣＨ）の転送の基本単位に対応する向上した制御チャネル要素（Enhanced Control Channel Element：ＥＣＣＥ）を定義し、（i）上記ＥＰＤＣＣＨはサブフレームでＫ個のＥＰＤＣＣＨセット（の各々を形成するＮ個の物理的資源ブロック（Physical Resource Block：ＰＲＢ）の対のデータ領域に位置し、（ii）上記Ｋと上記Ｎは１以上の自然数であり、（iii）上記Ｎ個のＰＲＢの対の各々は１６個の向上したリソースエレメントグループ（Enhanced Resource Element Groups：ＥＲＥＧｓ）を含み、（iv）上記ＥＣＣＥそれぞれは４個または８個のＥＲＥＧを含み、（v）上記ＥＣＣＥは端末のＲＮＴＩ（radio network temporary identifier）、上記サブフレームのインデックス、集合レベル（aggregation level）、及び対応するＥＰＤＣＣＨセットの総ＥＣＣＥの個数の関数により定義され、上記ＥＰＤＣＣＨ  ＵＥ−特定の検索空間に定義された上記ＥＣＣＥを上記ＥＰＤＣＣＨを介して上記端末に転送する。
【０００６】
更に他の実施形態によれば、データ領域に位置するダウンリンク制御チャネルを受信する端末を提供する。この端末は、受信部と制御部を含むことができる。受信部はサブフレームでＫ個のＥＰＤＣＣＨセット（Enhanced Physical Downlink Control Channel sets）の各々を形成するＮ個の物理的資源ブロック（Physical Resource Block（ＰＲＢ））の対のデータ領域を通じて、向上した物理的ダウンリンク制御チャネル（Enhanced Physical Downlink Control Channel：ＥＰＤＣＣＨ）を送受信ポイントから受信するように構成することができる。ここに、（i）上記Ｋと上記Ｎは１以上の自然数であり、（ii）上記Ｎ個のＰＲＢの対の各々は１６個の向上したリソースエレメントグループ（Enhanced Resource Element Groups：ＥＲＥＧｓ）を含み、（iii）ＥＰＤＣＣＨ転送の基本単位に該当する向上した制御チャネル要素（Enhanced Control Channel Element：ＥＣＣＥ）は４個または８個のＥＲＥＧを含む。制御部はＥＰＤＣＣＨ  ＵＥ−特定の検索空間でダウンリンク制御情報（Downlink Control Information：ＤＣＩ）フォーマットに応じて対応するＥＰＤＣＣＨセット内で上記ＥＰＤＣＣＨをデコーディングするように構成でき、上記ＥＰＤＣＣＨのデコーディングと関連するＥＣＣＥは、端末のＲＮＴＩ（radio network temporary identifier）、上記サブフレームのインデックス、集合レベル（aggregation level）、及び上記対応するＥＰＤＣＣＨセットの総ＥＣＣＥの個数の関数により定義される。
【０００７】
更に他の実施形態によれば、ＥＰＤＣＣＨ端末（ＵＥ）−特定の検索空間において、データ領域に位置するダウンリンク制御チャネルを設定する送受信ポイントを提供する。この送受信ポイントは、制御部と送信部を含むことができる。制御部は、ＥＰＤＣＣＨ  ＵＥ−特定検索空間で、向上した物理的ダウンリンク制御チャネル（Enhanced Physical Downlink Control Channel：ＥＰＤＣＣＨ）の転送の基本単位に対応する向上した制御チャネル要素（Enhanced Control Channel Element：ＥＣＣＥ）を定義するように構成できる。ここに（i）上記ＥＰＤＣＣＨはサブフレームでＫ個のＥＰＤＣＣＨセット （Enhanced Physical Downlink Control Channel sets）の各々を形成するＮ個の物理的資源ブロック（Physical Resource Block：ＰＲＢ）の対のデータ領域に位置し、（ii）上記Ｋと上記Ｎは１以上の自然数であり、（iii）上記Ｎ個のＰＲＢの対の各々は１６個の向上したリソースエレメントグループ（Enhanced Resource Element Groups：ＥＲＥＧｓ）を含み、（iv）ＥＣＣＥそれぞれは４個または８個のＥＲＥＧを含み、（v）上記ＥＣＣＥは、端末のＲＮＴＩ（radio network temporary identifier）、上記サブフレームのインデックス、集合レベル（aggregation level）、及び対応するＥＰＤＣＣＨセットの総ＥＣＣＥの個数の関数により定義できる。送受信部は、上記ＥＰＤＣＣＨ  ＵＥ−特定の検索空間に定義された上記ＥＣＣＥを上記ＥＰＤＣＣＨを介して上記端末に転送することができる。
【０００８】
端末が、新しく導入されるダウンリンク制御チャネルに該当する向上したダウンリンク制御チャネル（Enhanced Physical Downlink Control Channel：ＥＰＤＣＣＨ）を介してダウンリンク制御情報（Downlink Control Information：ＤＣＩ）を受信するように構成される場合、本実施形態は上記端末のためのＥＰＤＣＣＨセット（または、複数のＥＰＤＣＣＨセット）での集合レベル（Aggregation Level：ＡＬ）ごとのブラインドデコーディングを遂行する方法及び装置に関するものである。
【図面の簡単な説明】
【０００９】
【図１】少なくとも一実施形態が適用される無線通信システムの一例図。
【図２】ＬＴＥ（Long Term Evolution）またはＬＴＥ−Ａ（LTE-Advanced）システムにおけるダウンリンク資源（リソース）の構造の例であって、ノーマルサイクリックプレフィックス（ノーマルＣＰ）の場合における１つの資源（リソース）ブロックの対の図。
【図３】２つの端末の検索空間の図。
【図４】局所型ＥＰＤＣＣＨ転送（localized EPDCCH transmission）及び分散型ＥＰＤＣＣＨ転送（distributed EPDCCH transmission）を含む２つのＥＰＤＣＣＨ転送タイプの図。
【図５】１つの転送アンテナポート（ＣＲＳポート０）に対してＥＲＥＧインデキシング手続に従ってインデキシングされたＰＲＢの対のリソースエレメント（Resource Element：ＲＥ）マッピングの図。
【図６】２つの転送アンテナポート（ＣＲＳポート０および１）に対してＥＲＥＧインデキシング手続によってインデキシングされたＰＲＢの対のＲＥマッピングの図。
【図７】４個の転送アンテナポート（ＣＲＳポート０、１、２および３）に対してＥＲＥＧインデキシング手続によってインデキシングされたＰＲＢの対のＲＥマッピングを図示している。
【図８】少なくとも１つの実施形態に係る送受信ポイントのＥＰＤＣＣＨ  ＵＥ−特定の検索空間において、データ領域に位置するダウンリンク制御チャネルを設定する方法を示すフローチャート。
【図９】少なくとも１つの実施形態に係る送受信ポイントのＥＰＤＣＣＨ  ＵＥ−特定の検索空間において、データ領域に位置するダウンリンク制御チャネルを設定する方法において、ＥＣＣＥスターティングオフセット値を決定することを示す図。
【図１０】他の実施形態に係る端末のデータ領域に位置するダウンリンク制御チャネルを受信する方法を示すフローチャート。
【図１１】一部の実施形態に係る基地局を示す図。
【図１２】一部の実施形態に係るユーザ端末を示す図。
【発明を実施するための形態】
【００１０】
以下、本発明の実施形態を例示的な図面を通じて詳細に説明する。以下の説明において、同一な構成要素に対しては、たとえ他の図面上に表示されても同一の符号を付している。また、本発明を説明するに当たって、関連した公知構成または機能に対する具体的な説明が本発明の要旨を曖昧にすることがあると判断される場合には、その詳細な説明は省略する。
【００１１】
本発明のすくなくとも一実施形態での無線通信システムは、音声、パケットデータなどの多様な通信サービスを提供するために広く使用される。無線通信システムは、ユーザ端末（User Equipment：ＵＥ）及び送受信ポイント（Transmission／Reception point）を含む。本明細書でのユーザ端末あるいは"（ＵＥ）"は無線通信における端末を意味する包括的な概念である。したがって、ＷＣＤＭＡ（登録商標）及びＬＴＥ、ＨＳＰＡなどでのＵＥ（User Equipment）は勿論、ＧＳＭ（登録商標）でのＭＳ（Mobile Station）、ＵＴ（User Terminal）、ＳＳ（Subscriber Station）、無線機器（wireless device）などを全て含む概念として解釈されるべきである。
【００１２】
送受信ポイントは、一般的にユーザ端末と通信する地点（station）をいう。そのような送受信ポイントは、基地局（Base Station：ＢＳ）またはセル（cell）、ノード−Ｂ（Node-B）、ｅＮＢ（evolved Node-B）、セクター（Sector）、サイト（Site）、ＢＴＳ（Base Transceiver System）、アクセスポイント（Access Point）、リレーノード（Relay Node）、ＲＲＨ（Remote Radio Head）、ＲＵ（Radio Unit）、アンテナなど、他の用語として呼ばれることができる。
【００１３】
即ち、本明細書において、送受信ポイント、基地局（ＢＳ）、またはセル（cell）は、ＣＤＭＡでのＢＳＣ（Base Station Controller）、ＷＣＤＭＡのＮｏｄｅＢ、ＬＴＥでのｅＮＢまたはセクター（サイト）などがカバーする一部領域または機能を示す包括的な意味として解釈されなければならない。したがって、送受信ポイント、基地局（ＢＳ）および／またはセルの概念は、メガセル、マクロセル、マイクロセル、ピコセル、フェムトセル、及びリレーノード（relay node）、ＲＲＨ（Remote Radio Head）、ＲＵ（Radio Unit）通信範囲など、多様なカバレッジ領域を全て包括する。
【００１４】
本明細書において、ユーザ端末と送受信ポイントは本明細書で記述される技術または技術的思想を具現することに使われる２つ送受信主体で、包括的な意味として使われて、特定に称される用語または単語により限定されるものではない。ユーザ端末と送受信ポイントは、本発明で記述される技術または技術的思想を具現することに使われる２つ（UplinkまたはDownlink）の送受信主体で、包括的な意味として使われて、特定に称される用語または単語により限定されるものではない。ここで、アップリンク（Uplink：ＵＬ）はユーザ端末により送受信ポイントにデータを送受信する方式を意味し、ダウンリンク（Downlink：ＤＬ）は送受信ポイントによりユーザ端末にデータを送受信する方式を意味する。
【００１５】
無線通信システムは、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＯＦＤＭ−ＦＤＭＡ、ＯＦＤＭ−ＴＤＭＡ、ＯＦＤＭ−ＣＤＭＡなどの多様な多重接続技法を使用することができる。しかし、そのような多重接続技法には制限がない。本発明の少なくとも一実施形態は、ＧＳＭ、ＷＣＤＭＡ、ＨＳＰを経てＬＴＥ及びLTE-advancedに進化する非同期無線通信と、ＣＤＭＡ、ＣＤＭＡ−２０００、及びＵＭＢに進化する同期式無線通信分野などの資源割り当てに適用できる。本実施形態は、特定の無線通信分野に限定または制限されて解釈されてはならず、本発明の思想が適用できる全ての技術分野を含むものとして解釈されるべきである。
【００１６】
アップリンク転送及びダウンリンク転送は、ＴＤＤ（Time Division Duplex）方式およびＦＤＤ（Frequency Division Duplex）が使用できる。ここにＴＤＤは、互いに異なる時間を使用してアップリンク／ダウンリンク送信を行う。ＦＤＤは、互いに異なる周波数を使用してアップリンク／ダウンリンク送信を行う。
【００１７】
また、ＬＴＥ、ＬＴＥ−Ａのようなシステムでは１つの搬送波または搬送波の対を基準にアップリンクとダウンリンクを構成する規格に適合する。アップリンクおよび／またはダウンリンクは、ＰＤＣＣＨ（Physical Downlink Control CHannel）、ＰＣＦＩＣＨ（Physical Control Format Indicator CHannel）、ＰＨＩＣＨ（Physical Hybrid ARQ Indicator CHannel）、ＰＵＣＣＨ（Physical Uplink Control CHannel）などの制御チャネルを介して制御情報を転送する。データは、ＰＤＳＣＨ（Physical Downlink Shared CHannel）、ＰＵＳＣＨ（Physical Uplink Shared CHannel）などのデータチャネルで転送される。本明細書におけるＰＤＣＣＨはＥＰＤＣＣＨを含む概念でありうる。
【００１８】
本明細書において、セル（cell）は送受信ポイントから転送される信号のカバレッジまたは送受信ポイント（transmission pointまたはtransmission／reception point）から転送される信号のカバレッジを有する要素搬送波（component carrier）、その送受信ポイント自体を意味することができる。ここに、送受信ポイントは信号を送信する送信ポイント（transmission point）または信号を受信する受信ポイント（reception point）、これらの結合（transmission／reception point）を意味する。
【００１９】
本明細書において、ＨＡＲＱ ＡＣＫ／ＮＡＣＫは"hybrid automatic repeat request（ＨＡＲＱ）-acknowledgment（ＡＣＫ）／negative acknowledgement（ＮＡＣＫ）"の略語であり、hybrid-ARQ acknowledgement、またはhybrid ACK/NACK signalとして使用できる。チャネル状態情報（Channel State Information：ＣＳＩ）はＲＩ（Rank Indicator）、ＰＭＩ（Precoding Matrix Indicator）、ＣＱＩ（Channel Quality Indicator）のようなチャネル状態情報レポートを意味することができる。
【００２０】
図１は、少なくとも一つの実施形態が適用される無線通信システムの一例を図示する。
【００２１】
図１を参照すると、無線通信システム１００は協力型多重ポイント送受信システム（coordinated multi-point transmission／reception System：ＣｏＭＰシステム）および協力型多重アンテナ転送システム（coordinated multi-antenna transmission system）、協力型多重セル通信システムの一でありうる。ここに、ＣｏＭＰシステムは複数の送受信ポイント間が協力して信号を転送することができる。ＣｏＭＰシステムのような無線通信システム１００は、少なくとも２つの送受信ポイント１１０、１１２と端末１２０、１２２を含むことができる。
【００２２】
図面に示すように、送受信ポイントは第１送受信ポイント（例えば、ｅＮＢ １１０）および第２送受信ポイント（例えば、ＲＲＨ １１２）の一でありうる。ここで、第１送受信ポイント（例えば、ｅＮＢ １１０）は基地局またはマクロセル（または、マクロノード）でありうる。第２送受信ポイント（例えば、ＲＲＨ １１２）は、第１送受信ポイント（例えば、ｅＮＢ １１０）に光ケーブルまたは光ファイバーにより連結されて有線制御される、少なくとも１つのピコセル（pico cell）でありうる。また、第２送受信ポイント（例えば、ＲＲＨ １１２）は高い転送パワーを有するか、またはマクロセル領域内に低い転送パワーを有することができる。第１送受信ポイント（例えば、ｅＮＢ １１０）と第２送受信ポイント（例えば、ＲＲＨ １１２）は同一のセルＩＤを有することもでき、互いに異なるセルＩＤを有することもできる。
【００２３】
以下、ダウンリンク（downlink：ＤＬ）は送受信ポイント１１０、１１２から端末１２０への通信または通信経路を意味する。アップリンク（uplink：ＵＬ）は端末１２０から送受信ポイント１１０、１１２への通信または通信経路を意味する。ダウンリンクにおいて、送信機は送受信ポイント１１０、１１２の一部分で、受信機は端末１２０、１２２の一部分でありうる。アップリンクにおいて、送信機は端末１２０の一部分で、受信機は送受信ポイント１１０、１１２の一部分でありうる。
【００２４】
以下、ＰＵＣＣＨ（Physical Uplink Control Channel）、ＰＵＳＣＨ（Physical Uplink Shared Channel）、ＰＤＣＣＨ（Physical Downlink Control Channel）及び／又はＰＤＳＣＨ（Physical Downlink Shared Channel）などのチャネルを介して信号が送受信される状況をＰＵＣＣＨ、ＰＵＳＣＨ、ＰＤＣＣＨ及び／又はＰＤＳＣＨを転送、受信するという形態に表記することもある。
【００２５】
送受信ポイント（例えば、１１０、１１２）のうちの１つである第１送受信ポイント（例えば、ｅＮＢ １１０）は、端末１２０、１２２にダウンリンク転送を遂行することができる。第１送受信ポイント（例えば、ｅＮＢ １１０）は、ユニキャスト転送（unicast transmission）のための主物理チャネルに対応する物理ダウンリンク共有チャネル（Physical Downlink Shared Channel：ＰＤＳＣＨ）を転送することができる。また、第１送受信ポイント（例えば、ｅＮＢ １１０）は、ＰＤＳＣＨの受信に必要とするスケジューリングなどのダウンリンク制御情報、及びアップリンクデータチャネル（例えば、ＰＵＳＣＨ）での転送のためのスケジューリング承認情報を転送するためのＰＤＣＣＨを転送することができる。以下、各チャネルを介して信号を送受信することを該当チャネルを送受信するとして記載することにする。
【００２６】
無線通信において、１つの無線フレーム（ラジオフレーム、radio frame）は１０個のサブフレーム（subframe）で構成され、１つのサブフレームは２つのスロット（slot）で構成される。無線フレームは１０ｍｓの長さを有し、サブフレームは１．０ｍｓの長さを有する。一般的に、データ送信の基本単位はサブフレーム単位となり、サブフレーム単位でダウンリンクまたはアップリンクのスケジューリングがなされる。ノーマルサイクリックプレフィックス（ＣＰ）の場合、１つのスロットは時間領域で７個のＯＦＤＭシンボルを含むことができる。拡張サイクリックプレフィックス（ＣＰ）の場合、１つのスロットは時間領域で６個のＯＦＤＭ（Orthogonal Frequency Division Modulation）シンボルを含む。
【００２７】
例えば、無線通信における周波数領域は、例えば、１５ｋＨｚ間隔の副搬送波（subcarrier）単位で構成できる。
【００２８】
ダウンリンクで時間−周波数資源（リソース）は資源（リソース）ブロック（Resource Blocks：ＲＢｓ）単位で決定できる。資源ブロック（ＲＢ）は時間軸に１つのスロット、周波数軸に１８０ｋＨｚ（１２個副搬送波）で構成できる。時間軸に１つの副搬送波（２つのスロット）、周波数軸に１２個の副搬送波からなる資源は、資源ブロックの対（Resource Block Pair：ＲＢＰ）と呼ばれることができる。システム帯域幅によって全体資源ブロックの個数は異なる。同一なＰＲＢインデックスを有する最初のスロットＰＲＢを含む物理資源ブロック（Physical Resource Block；ＰＲＢ）の対と２番目スロットＰＲＢを含むＰＲＢ（）とは、１つのダウンリンクサブフレームの資源割り当て基本単位に対応することができる。本明細書において、ＰＲＢの対を、単にＰＲＢと称することがある。リソースエレメント（Resource Element：ＲＥ）は時間軸に１つのＯＦＤＭシンボル、そして周波数軸に１つの副搬送波で構成できる。１つの資源ブロックの対は１４×１２個（ノーマルＣＰの場合）または１２×１２個（拡張ＣＰの場合）のリソースエレメントを含むことができる。
【００２９】
図２は、ＬＴＥ（Long Term Evolution）またはＬＴＥ−Ａ（LTE-Advanced）システムにおけるダウンリンク資源の構造の例であって、ノーマルＣＰ（normal cyclic prefix）の場合で１つの資源ブロックの対を図示する。
【００３０】
図２を参照すると、ノーマルサイクリックプレフィックス（ＣＰ）の場合で１つの資源ブロックの対は１４個のＯＦＤＭシンボル（ｌ＝０，１，．．．，１３）と１２個の副搬送波（ｋ＝０，．．．，１１）とを含む。図２に図示された実施形態において、１つの資源ブロックの対は１４個のＯＦＤＭシンボルを含むことができる。１４個のＯＦＤＭシンボルのうち、前方の３個のＯＦＤＭシンボル（ｌ＝０〜２）は、ＰＣＦＩＣＨ（Physical Control Format Information CHannel）、ＰＨＩＣＨ（Physical Hybrid ARQ Indicator CHannel）、ＰＤＣＣＨ（Physical Downlink Control CHannel）などの制御チャネルのために割り当てられる制御領域２１０でありうる。残りのＯＦＤＭシンボル（ｌ＝３〜１３）はＰＤＳＣＨ（Physical Downlink Shared CHannel）のようなデータチャネルのために割り当てられるデータ領域２２０でありうる。図２で、制御領域２１０のために３個のＯＦＤＭシンボルが割り当てられることと図示されたが、実施形態によって制御領域２１０のために１から４個のＯＦＤＭシンボルが割り当てられることが可能である。制御領域２１０のＯＦＤＭシンボルのサイズ情報はＰＣＦＩＣＨを介して伝達できる。ここで、サイズ情報はＯＦＤＭシンボルの個数に設定できる。
【００３１】
ＰＤＣＣＨは、システムの全帯域に亘って転送されることができ、ＰＤＳＣＨは資源ブロックに基づいて転送できる。ユーザ端末は、対応するＰＤＣＣＨ（即ち、ユーザ端末に割り当てられたＰＤＣＣＨ）を確認し、対応するＰＤＣＣＨにデータ（即ち、ユーザ端末のためのデータ）がない場合、マイクロスリープモード（micro sleep mode）に入ることができる。したがって、データ領域１２０でユーザ端末の電力消費を低減することができる。
【００３２】
図２を参照すると、ダウンリンクの特定のリソースエレメントには参照信号（Reference Signal）がマッピングできる。即ち、共通参照信号（Common Reference Signal）（またはセル−特定の参照信号（Cell-specific Reference Signal：ＣＲＳ）２３０、復調参照信号（ＤＭ−ＲＳ）（または端末−特定の参照信号（UE-specific  Reference  Signal）２３２、２３４、チャネル状態情報参照信号（Channel Status Information Reference Signal：ＣＳＩ−ＲＳ）などがダウンリンクを通じて転送できる。図２では説明の便宜のためにＣＲＳ ２３０及びＤＭ−ＲＳ ２３２、２３４のみ図示されている。
【００３３】
制御領域２１０にあるＣＲＳ  ２３０は、ＰＤＣＣＨの復号のためのチャネル推定時に利用できる。データ領域２２０にあるＣＲＳ  ２３０は、ダウンリンクチャネル測定のために利用できる。データ領域２２０のデータ復号のためのチャネル推定はＤＭ−ＲＳ  ２３２および／または２３４を用いて遂行できる。ＤＭ−ＲＳ  ２３２、２３４は、直交符号を用いて多数のレイヤ（layer）に対する参照信号として多重化される。例えば、４個のレイヤ転送の場合に長さ２の直交符号を時間軸に連続した２つの参照信号リソースエレメントに適用して各参照信号グループに対して２つの相異する参照信号を多重化することができる。８個のレイヤ転送の場合に、長さ４の直交信号を時間軸に分散された４個の参照信号リソースエレメントに適用して各参照信号グループに対して４個の相異する参照信号を多重化することができる。
【００３４】
１つまたは２つのレイヤ転送の場合に、１つのＤＭ−ＲＳグループ（例えば、ＤＭ−ＲＳグループ１（２３２））のみを用いて各レイヤの参照信号を転送できるので、他の１つのＤＭ−ＲＳグループ（例えば、ＤＭ−ＲＳグループ２（２３４））をデータ転送に用いることができる。各レイヤに該当するＤＭ−ＲＳは該当レイヤに適用されたプリコーディングを同一に適用してユーザ端末に送信される。したがって、送信端（例えば、基地局）で適用されたプリコーディングの情報無しで受信端（例えば、端末）でデータの復号を可能にする。
【００３５】
無線通信システムにおける制限された資源を効率的に用いるために、制御チャネルを必要とする。しかしながら、制御領域２１０の資源はシステムのオーバーヘッド（overhead）となり、データ転送のために用いられるデータ領域２２０の資源を減少させる。ＯＦＤＭ基盤のＬＴＥシステムでは１つの資源ブロックの対（resource-block pair（ＲＢＰ））は、１４個または１２個のＯＦＤＭシンボルで構成できる。そのうち、制御領域２１０のために最大３個のＯＦＤＭシンボルを用いて、残りのＯＦＤＭシンボルをデータ領域２２０のために用いる。一方、より多くのユーザへのデータ転送が可能なＬＴＥ−Ａシステムでは、従来の制限された制御領域２１０の資源によってシステム容量の増大が制限され得る。したがって、制御チャネル資源を増加するために、データ領域２２０で空間分割多重化技法を用いた多重ユーザの制御チャネル送受信方法が考慮できる。言い換えると、この方法はデータ領域２２０で制御チャネルを送受信するものである。例えば、データ領域２２０で転送される制御チャネルは拡張されたＰＤＣＣＨまたは向上したＰＤＣＣＨ（ＥＰＤＣＣＨ）と呼ばれることができるが、これに制限されるものではない。
【００３６】
前述したように、従来の（あるいは既存の）３ＧＰＰ ＬＴＥ／ＬＴＥ−Ａ ｒｅｌ−８／９／１０システムでは、ダウンリンクＤＣＩの受信のために全ての端末は、ダウンリンクサブフレームにおいてはじめの１、２または３つのＯＦＤＭシンボル（システム帯域＞１０ＰＲＢの場合）またははじめの２、３または４つのＯＦＤＭシンボル（システム帯域≦１０ＰＲＢ）を通じて転送されるＰＤＣＣＨ（Physical Downlink Control Channel）に依存する。任意の端末のためのＰＤＣＣＨ転送の基本単位は制御チャネル要素（ＣＣＥ：Control Channel Element）でありうる。ここで、１つのＣＣＥは９個のリソースエレメントグループ（ＲＥＧ、Resource Element Group）で構成できる。１つのＲＥＧは周波数軸で４個の連続的なＲＥで構成できる。特に、１つのＲＥＧの４個の連続的なＲＥは該当ダウンリンクサブフレームのＰＤＣＣＨ領域に存在する異なる物理チャネル（例えばＰＣＦＩＣＨ、ＰＨＩＣＨ）、及び物理信号（例えばＣＲＳ）が転送されるリソースエレメント（ＲＥ：Resource Element）を除いた残りのＲＥのうちから選択できる。
【００３７】
任意の端末のためのＥＰＤＣＣＨ転送資源マッピングのために従来のＰＤＣＣＨのＲＥＧまたはＣＣＥに対応してＥＲＥＧ（Enhanced REG）／ＥＣＣＥ（Enhanced CCE）をＥＰＤＣＣＨに導入することができる。
【００３８】
前述したように、従来の（あるいは既存の）３ＧＰＰ ＬＴＥ／ＬＴＥ−Ａ ｒｅｌ−８／９／１０システムでは、ダウンリンクＤＣＩの受信のために全ての端末はダウンリンクサブフレームのはじめの１、２、または３つのＯＦＤＭシンボル（システム帯域＞１０ＰＲＢの場合）、またははじめの２、３または４つのＯＦＤＭシンボル（システム帯域≦１０ＰＲＢ）を通じて転送されるＰＤＣＣＨ領域に対するブラインドデコーディングを遂行する。この場合に、端末のＰＤＳＣＨ受信に対する充分の処理時間（processing time）及び端末の電力消費の低減のために、ＰＤＳＣＨ／ＰＵＳＣＨ転送モードによって決定される該当するＤＣＩフォーマットに基づいて各々の集合レベル（Aggregation Level：ＡＬ）別にできるだけ多くの回数、制限された検索空間でブラインドデコーディングを遂行する。即ち、全てのＰＤＣＣＨ領域で全てのＡＬ及びＤＣＩフォーマットに対するブラインドデコーディングを遂行しない。
【００３９】
図３は、２つの端末の検索空間を図示している。
【００４０】
図３を参照すると、３ＧＰＰ  ＬＴＥ／ＬＴＥ−Ａ  ｒｅｌ−８／９／１０に従う任意の端末は、ダウンリンクサブフレームを通じて転送されるＰＤＣＣＨに共通検索空間（Common Search Space：ＣＳＳ）領域と端末−特定の検索空間（UE（Terminal）-specific Search Space：ＵＳＳ）領域でＡＬによって制限された回数のブラインドデコーディングを遂行することができる。ここで、ＣＳＳ領域は対応する端末が属するセル内の全ての端末に共通的に設定される。ＵＳＳ領域は端末別に固有に設定される。
【００４１】
対応するＰＤＣＣＨ領域は、ＤＣＩ転送のための資源割り当ての基本単位であるＣＣＥ（Control Channel Element）に分けられる。任意の端末のためのＰＤＣＣＨは、ＡＬによって各々１、２、４または８つのＣＣＥを通じて転送されるように定義できる。また、任意の端末のブラインドデコーディングを遂行することができる。ＴＭ（transmission mode）依存のＤＣＩフォーマット（例えば、ダウンリンクに対するＤＣＩフォーマット１／１Ｂ／１Ｄ／２／２Ａ／２Ｂ／２Ｃ、及びアップリンクに対するＤＣＩフォーマット４）がＰＤＳＣＨ転送モード（transmission mode：ＴＭ）及びＰＵＳＣＨ  ＴＭ（transmission mode）によって決定できる。ここに、ＰＤＳＣＨ  ＴＭ及びＰＵＳＣＨ  ＴＭは送受信ポイント及び端末の性能（capability）（例えば、端末と送受信ポイントの各々の送受信アンテナ個数（number of Tx／Rx antennas））及び端末と送受信ポイントとの間のチャネル状態によって上位階層シグナリングを通じて設定できる。したがって、任意の端末はＵＥ−特定の検索空間（ＵＳＳ）において、対応するＴＭ依存のＤＣＩフォーマット及びfallback DCIフォーマット（ＤＣＩフォーマット０／１Ａ）に応じて、集合レベル（ＡＬ）別に定まった回数のブラインドデコーディングを遂行することができる。ここで、ＵＳＳは以下の＜数式１＞により、任意のユーザ端末に関連するcell-radio network temporary identifier（Ｃ−ＲＮＴＩ）、スロットインデックス、及び集合レベルの関数として決定できる。
【００４２】
＜数式１＞
【数１】
0006007333.tif 000002
【００４３】
ここに、ｉ＝０，．．．，Ｌ−１であり、ｍ´＝ｍ＋Ｍ（Ｌ）・ｎＣＩであり、ｎＣＩはキャリア指示フィールド値（carrier indicator field value）であり、ｍ＝０，．．．，Ｍ（Ｌ）−１である。Ｍ（Ｌ）は与えられた検索空間でモニタリングするＰＤＣＣＨ候補の個数である。Ｌは集合レベル（aggregation level：ＡＬ）であり、端末−特定の検索空間において、Ｌ∈｛１，２，４，８｝である。
【００４４】
0006007333.tif 000003
【００４５】
したがって、３ＧＰＰ  ＬＴＥ／ＬＴＥ−Ａ  ｒｅｌ−８／９／１０に従う任意の端末はその端末が受信するように設定されたＤＣＩフォーマットに対してブラインドデコーディングを遂行することができる。ここで、ブラインドデコーディングは該当ＵＳＳ（即ち、その任意の端末のためのＵＳＳ）で各々のＡＬ  １、２、４および８に基づいて遂行できる。特に、ブラインドデコーディングは各々のＡＬ  １、２、４および８に基づいて６、６、２または２回ずつ遂行できる。即ち、ＰＤＳＣＨ  ＴＭ依存ＤＣＩフォーマットとfallback DCIフォーマットに対して各々１６回ずつ、したがって、合計３２回のブラインドデコーディングを遂行することができる。一方、ＰＵＳＣＨ transmission mode （ＴＭ）２に設定された端末の場合、ＤＣＩフォーマット４に対するブラインドデコーディング１６回をさらに遂行することができる。したがって、この場合に最大４８回のブラインドデコーディングを遂行することができる。
【００４６】
端末が３ＧＰＰ  ＬＴＥ−Ａ  ｒｅｌ−１１システムで新しく導入されるＥＰＤＣＣＨを介してＤＣＩを受信するように設定された場合、ＥＰＤＣＣＨモニタリングダウンリンクサブフレームでレガシー（legacy）ＰＤＣＣＨ  ＵＳＳ（即ち、レガシーＰＤＣＣＨのＵＥ−特定の検索空間）のかわりにＥＰＤＣＣＨのＵＳＳ（即ち、ＥＰＤＣＣＨの端末−特定の検索空間）でブラインドデコーディングを遂行するように定義できる。また、この場合、前述したＥＰＤＣＣＨモニタリングのためのダウンリンクサブフレーム設定と共に、上位階層ＲＲＣシグナリング（higher layer RRC signaling）を通じてＫ（"Ｋ≧１"）個のＥＰＤＣＣＨセットが対応する端末（即ち、対応するＥＰＤＣＣＨを介してＤＣＩを受信するように設定された端末）のためのＥＰＤＣＣＨ  ＵＳＳに設定できる。ここに、Ｋの最大値は２、３、４、及び６のうちの１つの値でありうる。各ＥＰＤＣＣＨセットは、ＰＲＢのグループ（即ち、Ｎ個のＰＲＢグループ、Ｎは１以上、ダウンリンク帯域に関連するＰＲＢの個数以下の自然数）を含むことができる。
【００４７】
また、各々のＥＰＤＣＣＨセット別に分散型（distributed type）または局所型（localized type）のうちの１つのＥＰＤＣＣＨタイプが決定されてシグナリングできる。
【００４８】
ＥＰＤＣＣＨセットはＥＰＤＣＣＨ転送タイプによって局所型（localized type）または分散型（distributed type）でありうる。前述したＮは集中型及び分散型で２、４、または８でありうるが、これに制限されるものではない。
【００４９】
図４は、局所型ＥＰＤＣＣＨ転送（localized EPDCCH transmission）及び分散型ＥＰＤＣＣＨ転送（distributed EPDCCH transmission）を含む２つのＥＰＤＣＣＨ転送タイプを図示している。
【００５０】
ＥＰＤＣＣＨは対応するＰＤＳＣＨ領域を通じて転送できる。この場合にＥＰＤＣＣＨは図４ａ及び４ｂに示すように、局所型ＥＰＤＣＣＨ転送及び分散型ＥＰＤＣＣＨ転送のうちの１つに対応するとしてよい。したがって、ＥＣＣＥ構造及び１つのＥＣＣＥを形成するＲＥ（Resource Element）の数も各々のＥＰＤＣＣＨ転送タイプによって異なることができる。代りに、ＥＣＣＥ構造及び１つのＥＣＣＥあたりのＲＥ（Resource Element）の数がＥＰＤＣＣＨ転送タイプに関わらず、同一であることもある。
【００５１】
図４ａに示す局所型ＥＰＤＣＣＨ転送は１つのＥＣＣＥが１つの資源ブロックの対（即ち、１つのＰＲＢの対）に位置して転送されることを意味する。一方、図４ｂに示す分散型ＥＰＤＣＣＨ転送は１つのＥＣＣＥが少なくとも２つの資源ブロックの対（即ち、少なくとも２つのＰＲＢの対）に位置して転送されることを意味する。
【００５２】
一方、１つの端末にＫ個（"Ｋ≧１"）のＥＰＤＣＣＨセットを割り当てることができる。この場合に、各々のＥＰＤＣＣＨセットは分散型タイプまたは局所型タイプであるので、１つの端末にＫＬ個の局所型タイプのＥＰＤＣＣＨとＫＤ個の分散型タイプのＥＰＤＣＣＨが割り当てることができる。即ち、ＫＬとＫＤとの和が"Ｋ"になることができる（ＫＬ＋ＫＤ＝Ｋ）。言い換えると、Ｋ個のＥＰＤＣＣＨセット（または１個のセット）は、（i）ＫＬ個の集中型ＥＰＤＣＣＨセットと、（ii）ＫＤＤ個の分散型ＥＰＤＣＣＨ セットに分けられる。ここで、ＫＬとＫＤはＫ＝ＫＬ＋ＫＤを満たす。
【００５３】
しかしながら、上記のＮ値及びＫ、ＫＬ、ＫＤ値に関わらず、端末の総ブラインドデコーディング回数は既存のシステムと同一に維持されるように決定できる。したがって、Ｋ個のＥＰＤＣＣＨセットが任意のＥＰＤＣＣＨ端末のために設定された場合、対応する端末が各々のＥＰＤＣＣＨセットで遂行しなければならないＡＬ別ブラインドデコーディング回数を決定することができる。また、対応するＥＰＤＣＣＨセットで集合レベル（ＡＬ）あたりのブラインドデコーディング回数によって対応する集合レベル（ＡＬ）ごとに必要な検索空間のサイズが決定できる。
【００５４】
既存の無線通信システムの場合、集合レベル（ＡＬ）ごとにブラインドデコーディングを遂行しなければならない検索空間（search space）のサイズがブラインドデコーディングの回数によって決定できる。即ち、ＰＤＣＣＨ集合レベル（ＡＬ）  １に対して６回のブラインドデコーディングを遂行するように定義され、したがって、そのＰＤＣＣＨ集合レベル（ＡＬ）  １のためのＵＥ−特定の検索空間（ＵＳＳ）は６個のＣＣＥから構成される。同様に、ＰＤＣＣＨ集合レベル（ＡＬ）  ２、４および８に対するＵＳＳも同一な方式により決定される。特に、ＰＤＣＣＨ  ＡＬ  ２に対して６回のブラインドデコーディングを遂行するように定義され、したがって、ＰＤＣＣＨ  ＡＬ  ２のためのＵＳＳは、１２ＣＣＥ（＝２×６）により構成される。ＰＤＣＣＨ  ＡＬ  ４及びＰＤＣＣＨ  ＡＬ  ８に対して２回の各々対応するブラインドデコーディングを遂行するように設定され、したがって、ＰＤＣＣＨ  ＡＬ  ４及びＰＤＣＣＨ  ＡＬ  ８に対するＵＳＳは各々８個と１６個のＣＣＥから構成される。
【００５５】
しかしながら、ＥＰＤＣＣＨセットのサイズは一般的に集合レベル（ＡＬ）あたり、必要な検索空間のサイズより大きく決定される可能性が高い。したがって、ＥＰＤＣＣＨセットのサイズが、対応するＥＰＤＣＣＨセットで遂行しなければならない集合レベル（ＡＬ）あたりのブラインドデコーディング回数により決定される検索空間のサイズより大きい時、対応するＥＰＤＣＣＨセットで各々の集合レベル（ＡＬ）あたりの検索空間の設定の定義が必要となる。
【００５６】
端末が新しく導入されるダウンリンク制御チャネルに該当する向上したダウンリンク制御チャネル（Enhanced Physical Downlink Control Channel：ＥＰＤＣＣＨ）を介してダウンリンク制御情報（Downlink Control Information：ＤＣＩ）を受信するように設定された場合、本実施形態は端末のためのＥＰＤＣＣＨセット（または、ＥＰＤＣＣＨセット）での集合レベル（ＡＬ）ごとにブラインドデコーディングを遂行する方法及び装置に対するものである。特に、本実施形態は任意の端末のために設定された各々のＥＰＤＣＣＨセットで該当端末がモニタリングしなければならない集合レベル（ＡＬ）ごとの検索空間を設定する方法及びその装置を提供することができる。
【００５７】
前述したように、任意の端末に対してＥＰＤＣＣＨを介してＤＣＩを受信するように設定された場合、該当端末のためのＫ（"Ｋ≧１"）ＥＰＤＣＣＨセットが設定できる。この場合に、各々のＥＰＤＣＣＨセットはＰＲＢグループ（すなわち、Ｎ個のＰＲＢ）を含むことができる。また、各々のＥＰＤＣＣＨセットに対して、対応するＥＰＤＣＣＨセットのタイプが分散型（distributed type）または局所型（localized type）に決定できる。即ち、ＥＰＤＣＣＨ端末のために設定されたＫ個のＥＰＤＣＣＨセット（または１個のセット）は、（ｉ）ＫＬ個の局所型（localized type）のＥＰＤＣＣＨセット（または１個のセット）と（ｉｉ）ＫＤ個の分散型（distributed type）のＥＰＤＣＣＨセット（または１個のセット）とで構成できる。ここで、ＥＰＤＣＣＨ端末はＥＰＤＣＣＨが適用された端末を意味する。ＫＬとＫＤはＫ＝ＫＬ＋ＫＤを満たす。
【００５８】
各々の局所型または分散型のＥＰＤＣＣＨセットに含まれる１つのＰＲＢは、サブフレームのタイプ、ＣＰ（cyclic prefix）の長さ及び他の物理的信号の存否に関わらず、対応するＰＲＢの対で総数１６個のＥＲＥＧ（例えば、ＥＲＥＧ  ＃０からＥＲＥＧ  ＃１５）で構成できる。
【００５９】
新しく定義するＥＲＥＧ／ＥＣＣＥの場合、総数１６個のＥＲＥＧ（例えば、ＥＲＥＧ  ＃０からＥＲＥＧ  ＃１５）は、各々のＥＰＤＣＣＨセットの１つのＰＲＢの対に含まれることができる。特に、１つのＰＲＢの対は、（i）フレーム構造タイプ（frame structure type）、（ii）サブフレーム設定（subframe configuration）、（iii）ＣＰ（Cyclic prefix）の長さ、（iv）レガシーＰＤＣＣＨ制御領域サイズ、及び／又は（v）ＤＭ−ＲＳを除いた残りの参照信号（例えば、ＣＲＳ、ＣＳＩ−ＲＳ、ＰＲＳなど）などの存否に関わらず、総１６個のＥＲＥＧを含むことができる。
【００６０】
より具体的には、ノーマルサイクリックプレフィックス（ＣＰ）の場合、あるＥＰＤＣＣＨセットの１つのＰＲＢの対は、総数１６８個（例えば、１２×１４＝１６８個）のリソースエレメント（ＲＥ）を含むことができる。この場合に、ＥＲＥＧインデキシングは１６８個のＲＥのうち、ＤＭ−ＲＳのための２４個のリソースエレメント（ＲＥ）を除いた残りのリソースエレメント（ＲＥ）（例えば、１４４個のＲＥ）に対して遂行できる。即ち、ＥＲＥＧインデキシングは１６個の数（例えば、０,１,２，．．．，１５）を使用して周波数優先方式（即ち、frequency first and then time manner）により遂行できる。したがって、該当リソースエレメント（ＲＥ）は０から１５までナンバリング（インデキシング）できる。同様に、拡張サイクリックプレフィックス（ＣＰ）の場合、あるＥＰＤＣＣＨセットを構成する１つのＰＲＢの対は総数１４４リソースエレメント（ＲＥ）（例えば、１２×１２＝１４４個のＲＥ）を含むことができる。この場合に、ＥＲＥＧインデキシングは１４４個のリソースエレメント（Ｒｅｓ）からＤＭ−ＲＳのための１６個のリソースエレメント（ＲＥ）を除いた残りのリソースエレメント（ＲＥ）（例えば、１２８個のＲＥ）に対して遂行できる。言い換えると、ＥＲＥＧインデキシングは周波数優先方式（即ち、周波数優先及び次の時間方式）により１６個の数（例えば、０,１,２，．．．，１５）を使用して遂行できる。したがって、リソースエレメント（ＲＥ）は０から１５までナンバリング（インデキシング）できる。
【００６１】
ノーマルサイクリックプレフィックス（ＣＰ）に対応するダウンリンクサブフレーム（normal DL subframe）において、あるＥＰＤＣＣＨセットを構成する１つのＰＲＢの対に対してＥＲＥＧインデキシングと関連する実施形態が、以下の図５から図７に図示されている。以下の図５から図７において、斜線で表示され、番号が記載されていない部分はＤＭ−ＲＳのために使われるリソースエレメント（ＲＥ）を示し、格子または斜線で表示され番号が記載されている部分はＣＲＳ転送のために使われるリソースエレメント（ＲＥ）を示す。
【００６２】
図５は、１つの転送アンテナポート（ＣＲＳポート０）に対してＥＲＥＧインデキシング手続によってインデキシングされたＰＲＢの対のリソースエレメント（ＲＥ）マッピングを図示している。図６は、２つの転送アンテナポート（ＣＲＳポート０および１）に対してＥＲＥＧインデキシング手続によってインデキシングされたＰＲＢの対のリソースエレメント（ＲＥ）マッピングを図示している。図７は、４個の転送アンテナポート（ＣＲＳポート０、１、２および３）に対してＥＲＥＧインデキシング手続によってインデキシングされたＰＲＢの対のリソースエレメント（Resource Element：ＲＥ）マッピングを図示している。
【００６３】
図５から図７を参照すると、ＥＲＥＧは０から１５までの数を周波数優先方式（即ち、周波数優先時間の次に行う方式）によりナンバリング（即ち、インデキシング）できる。図５から図７に図示された実施形態において、インデキシングはシンボル基準サイクリックシフト無しで遂行できる。より詳しくは、図５に示すように、最初のシンボルの"５００"により示されるリソースエレメント（ＲＥ）が１１（即ち、インデックス１１）としてインデキシングされた後、２番目のシンボルの"５１０"により示されるリソースエレメント（ＲＥ）が１２（即ち、インデックス１２）として連続してインデキシングされている。ここで、１２としてインデキシングされたＲＥ（"５１０"）（すなわち、次の準場印に対応するＲＥ（"５１０"））は、１１としてインデキシングされたＲＥ（"５００"）と隣接しない。同じ方式により２番目のシンボルの"５２０"により示されるＲＥが７（即ち、インデックス７）としてインデキシングされた後、３番目のシンボルの"５３０"により示されるＲＥは連続して８（即ち、インデックス８）としてインデキシングできる。ここで、８としてインデキシングされたＲＥ（"５３０"）は７としてインデキシングされたＲＥ（"５２０"）と隣接しない。
【００６４】
図５から図７において、同一なインデックスを有するＲＥは、１つのＥＲＥＧにグルーピングされる。したがって、１つのＰＲＢの対に対して総１６個のＥＲＥＧ（例えば、ＥＲＥＧ  ＃０からＥＲＥＧ  ＃１５）が割り当てできる。図５から図７は、ノーマルＣＰのＰＲＢの対と関連した実施形態を図示している。即ち、ノーマルＣＰが有する１つのＰＲＢの対は総１６個のＥＲＥＧを含むことができる。同様に、拡張ＣＰのＰＲＢの対に対しても総１６個のＥＲＥＧ（ＥＲＥＧ  ＃０からＥＲＥＧ  ＃１５）が割り当てできる。即ち、拡張ＣＰが有する１つのＰＲＢの対は総１６個のＥＲＥＧを含むことができる。
【００６５】
ＥＰＤＣＣＨ転送の基本単位に対応するＥＣＣＥは各々、サブフレーム類型及びＣＰ長さによってＭ個のＥＲＥＧで構成できる。より具体的に、このＭ値は以下の通り決定できる。
【００６６】
少なくとも１つの実施形態において、（i）ノーマルＣＰのノーマルサブフレーム（normal subframe）、ならびに（ii）スペシャルサブフレーム構成（configuration）３、４、及び８とノーマルＣＰに対応するスペシャルサブフレームに対して、Ｍ値は４（Ｍ＝４）に決定できる。即ち、この場合、１つのＰＲＢの対を構成する１６個のＥＲＥＧを含む場合、各ＥＣＣＥが４個のＥＲＥＧであるので、総数で４個のＥＣＣＥが構成できる。
【００６７】
他の実施形態において、（i）拡張ＣＰのノーマルサブフレーム（normal subframe）、（ii）スペシャルサブフレーム構成１、２、６、７、及び９、とノーマルＣＰに対応するスペシャルサブフレーム、そして（iii）スペシャルサブフレーム構成１、２、３、５、及び６と拡張ＣＰに対応するスペシャルサブフレームに対して、Ｍ値は８（Ｍ＝８）に設定できる。この場合、１つのＰＲＢの対に１６個のＥＲＥＧが含まれる場合、各ＥＣＣＥが８個のＥＲＥＧであるので、総数で２つのＥＣＣＥが構成できる。
【００６８】
したがって、ＥＰＤＣＣＨセットと関連したＰＲＢサイズ（即ち、Ｎ値、例えば、ＰＲＢの個数）、ダウンリンクサブフレームタイプ、及びＣＰ長さなどによって、任意の端末のために形成された１つのＥＰＤＣＣＨセットは、（i）'２Ｎ'個（８個のＥＲＥＧで１つのＥＣＣＥが構成される場合）のＥＣＣＥ、または（ii）'４Ｎ'個（４個のＥＲＥＧで１つのＥＣＣＥが構成される場合）のＥＣＣＥで構成できる。
【００６９】
また、端末は、ＥＰＤＣＣＨをモニタリングするように設定できる。ノーマルサブフレームおよびノーマル（ＣＰ）について、ス、ＥＰＤＣＣＨ転送が可能なＲＥ（Resource Element）の数がしきい値（Xthresh）より小さい場合およびスペシャルサブフレーム構成３、４、または８およびノーマルＣＰについてＥＰＤＣＣＨ転送が可能なＲＥ（Resource Element）の数がしきい値（Xthresh）より小さい場合（以下、"ケース１"という）、局所型ＥＰＤＣＣＨセットは集合レベル ２、４、８、及び１６をサポートするように定義されることができ、分散型ＥＰＤＣＣＨセットは集合レベル ２、４、８、１６、及び３２をサポートするように定義することができる。
【００７０】
そうでなければ（以下、"ケース２"という）、局所型ＥＰＤＣＣＨセットは集合レベル １、２、４、及び８をサポートするように定義されることができ、分散型ＥＰＤＣＣＨセットは集合レベル １、２、４、８、及び１６をサポートするように定義することができる。
【００７１】
前述したように、（i）任意の端末のために設定されたＥＰＤＣＣＨセットの個数（"Ｋ"）、及び（ii）各々のＥＰＤＣＣＨセットのタイプ、及び（iii）対応するＥＰＤＣＣＨセットでサポートする集合レベルに関わらず、対応する端末で遂行しなければならないブラインドデコーディングの試行（attempts）の総数は従来の（または既存の）端末と同一である必要がある。したがって、前述したように、対応する端末で遂行しなければならないブラインドデコーディングの試行（attempts）の総数はＰＵＳＣＨ transmission mode （ＴＭ）によって'３２'または'４８'である必要がある。
【００７２】
本実施形態はＥＰＤＣＣＨ設計基準に従って任意の端末のために設定されたＥＰＤＣＣＨセットにおいて、ブラインドデコーディングのための検索空間を決定する方法及びその装置を提供することができる。より具体的には、本実施形態は該当端末が各々の集合レベルに基づいてブラインドデコーディングを遂行する検索空間を決定する方法及びその装置を提供することができる。即ち、本実施形態において、一つのＥＰＤＣＣＨセットと関連するＰＲＢサイズ（例えば、ＰＲＢの個数に対応するＮ値）、及び対応するＥＰＤＣＣＨセットが構成されたサブフレームタイプ及びＣＰ長さなどによって、ＥＰＤＣＣＨセットは、（i）'２Ｎ'個のＥＣＣＥ（例えば、ＥＣＣＥ  ＃０からＥＣＣＥ  ＃（２Ｎ−１））または(ii)'４Ｎ'個のＥＣＣＥ（ＥＣＣＥ  ＃０からＥＣＣＥ  ＃（４Ｎ−１））で構成できる。以下、ＥＣＣＥの総個数を'ＮＥＣＣＥ'という。"ＥＣＣＥ  ＃"は対応するＥＣＣＥのインデックスを示す。
【００７３】
図８は、少なくとも１つの実施形態に係る送受信ポイントのＥＰＤＣＣＨ  ＵＥ−特定の検索空間においてデータ領域に位置するダウンリンク制御チャネルを設定する方法を示すフローチャートである。
【００７４】
図８を参照すると、送受信ポイントはＥＰＤＣＣＨ  ＵＥ−特定の検索空間において、データ領域に位置するダウンリンク制御チャネルを設定する方法（８００）を遂行することができる。より具体的には、この方法（８００）は、（i）ステップＳ８１０で、ＥＰＤＣＣＨ転送の基本単位に対応するＥＣＣＥをＥＰＤＣＣＨ  ＵＥ−特定の検索空間に設定（または定義）し、ステップＳ８２０で、ＥＰＤＣＣＨ  ＵＥ−特定の検索空間に設定（または定義）されたＥＣＣＥを端末に転送することを含むことができる。
【００７５】
より具体的には、ステップＳ８１０で、送受信ポイントはＥＰＤＣＣＨ  ＵＥ−特定の検索空間において、ＥＰＤＣＣＨ転送の基本単位に対応するＥＣＣＥを定義（または形成）することができる。ここで、ＥＰＤＣＣＨはサブフレームでＫ個（ＫのＥＰＤＣＣＨセット（Enhanced Physical Downlink Control Channel set）の各々を形成するＮ個の資源ブロックの対（例えば、ＰＲＢの対）のデータ領域に位置できる。各ＥＰＤＣＣＨセットはＮ個の資源ブロックの対（例えば、ＰＲＢの対）を含むことができる。ＫとＮは１以上の自然数でありうる。前述したように、各ＰＲＢの対は１６個のＥＲＥＧを含み、各ＥＣＣＥは４個または８個のＥＲＥＧを含むことができる。
【００７６】
また、ステップＳ８１０を参照すると、送受信ポイントは、（i）暗黙的構成方法、（ii）明示的構成方法、及び（iii）混合型構成方法のうちの１つを用いて、検索空間の開始オフセット（以後、"ＥＣＣＥスターティングオフセット"という）を決定することができる。以下、各々の構成方法を、より詳細に説明する。例えば、暗黙的構成方法の場合に、送受信ポイントは、（i）端末のa radio network temporary identifier （ＲＮＴＩ）、（ii）サブフレームのインデックス、（iii）集合レベル（aggregation level）、及び（iv）１つのＥＰＤＣＣＨセットのＥＣＣＥの総個数の関数を用いて、ＥＰＤＣＣＨ  ＵＥ−特定の検索空間でＥＣＣＥを定義（または形成）することができる。
【００７７】
ＥＣＣＥを形成（または定義）する動作（Ｓ８１０）において、ＥＣＣＥは集合レベル単位（即ち、集合レベルに該当するＥＣＣＥの個数の単位）で、対応する集合レベルに基づいてモニタリングしなければならない回数、連続して形成（または定義）されることもできる。代りに、ＥＣＣＥは集合レベル単位で不連続的に形成されることもできる。特に、分散型ＥＰＤＣＣＨセット及び／又は局所型ＥＰＤＣＣＨセットに対し、ＥＣＣＥは連続的でありうる。一方、分散型ＥＰＤＣＣＨセット及び／又は局所型ＥＰＤＣＣＨセットに対し、ＥＣＣＥは不連続的でありうる。ここで、"連続"及び"不連続"は、必ずしも"物理的に連続"及び"物理的に不連続"を意味するものではない。即ち、この用語は'論理的'に連続／不連続、及び'物理的'に連続／不連続を含むことができる。
【００７８】
後述するように、不連続的なＥＣＣＥのＥＣＣＥホッピング値は、（i）対応するＥＰＤＣＣＨセットのＥＣＣＥの総個数、（ii）集合レベル、及び（iii）対応する集合レベルに基づいて端末がモニタリングしなければならない'ＥＰＤＣＣＨ候補'（即ち、ＥＰＤＣＣＨモニタリング候補）の個数の関数により決定されることもできる。
【００７９】
一方、端末がキャリア指示フィールドを有するように構成する場合、キャリア指示フィールド値がＥＣＣＥを定義した関数に適用できる。
【００８０】
また、ＥＰＤＣＣＨセットの転送タイプは局所型ＥＰＤＣＣＨ転送または分散型ＥＰＤＣＣＨ転送のうちの１つに対応することができる。集合レベルは１、２、４、８、１６および３２のうちの１つから選択できる。ノーマルサブフレーム及びノーマルＣＰについてＥＰＤＣＣＨ転送可能なＲＥの数が、しきい値（Xthresh）より小さい場合、ならびにスペシャルサブフレーム構成（special subframe configuration）３、４または８とノーマルＣＰについてＥＰＤＣＣＨ転送が可能なＲＥの数がしきい値（Xthresh）より小さい場合（以下、"ケース１"という）、局所型ＥＰＤＣＣＨセットは集合レベル２、４、８、１６をサポートするように定義されることができ、分散型ＥＰＤＣＣＨセットは集合レベル２、４、８、１６、及び３２をサポートするように定義できる。そうでなければ（以下、"ケース２"という）、局所型ＥＰＤＣＣＨセットは集合レベル１、２、４、及び８をサポートするように定義されることができ、分散型ＥＰＤＣＣＨセットはＡＬ １、２、４、８、及び１６をサポートするように定義することができる。
【００８１】
ステップＳ８２０で、送受信ポイントはＥＰＤＣＣＨ  ＵＥ−特定の検索空間に形成（または定義）されたＥＣＣＥを端末にＥＰＤＣＣＨを介して転送することができる。
【００８２】
以上、図８を参照して少なくとも１つの実施形態に係る送受信ポイントがＥＰＤＣＣＨ  ＵＥ−特定の検索空間において、データ領域に位置する'ダウンリンク制御チャネル'を設定する方法を説明した。以下、ＥＣＣＥを設定する動作（Ｓ８１０）で検索空間の開始オフセット（例えば、ＥＣＣＥスターティングオフセット）を設定する方法と後続のブラインドデコーディング試みのためのＥＣＣＥインデックスを決定する方法と関連した実施形態をより詳細に説明する。
【００８３】
＜１．検索空間の開始オフセット（ＥＣＣＥスターティングオフセット）＞
【００８４】
第１実施形態：明示的構成（Explicit configuration）
【００８５】
任意の端末のためのＥＰＤＣＣＨセット形成時、対応するＥＰＤＣＣＨセットで端末によるブラインドデコーディングのための検索空間スターティングオフセット値が上位階層によりシグナリングできる。即ち、任意のＥＰＤＣＣＨ端末のためのＥＰＤＣＣＨセットの形成時に、対応するＥＰＤＣＣＨセットを形成するためのＥＣＣＥスターティングオフセット値が動的に、または上位階層シグナリング（例えば、上位階層ＲＲＣシグナリング（higher layer RRC signaling）によりシグナリングできる。即ち、ＥＣＣＥスターティングオフセット値はＲＲＣ（Radio Resource Control）メッセージに含まれることができる。また、この場合に、ＥＣＣＥスターティングオフセット値は、（i）ＥＰＤＣＣＨセットを形成するＮ個のＰＲＢグループの割り当て情報（即ち、Ｎ個のＰＲＢ）、及び（ii）ＥＰＤＣＣＨセットのタイプ（例えば、集中型または分散型）情報と共に該当シグナリングできる。ここで、ＥＣＣＥスターティングオフセット値は、たいおうするＥＰＤＣＣＨセットを形成する'２Ｎ'個のＥＣＣＥ、または'４Ｎ'個のＥＣＣＥのうちから端末が集合レベルごとにモニタリングしなければならないＥＣＣＥスターティングオフセット値を意味する。
【００８６】
この場合、対応する端末のブラインドデコーディング手続は全てのＥＰＤＣＣＨモニタリングサブフレームで決定されたＥＣＣＥスターティングオフセット値に該当するＥＣＣＥインデックスから遂行できる。
【００８７】
ＥＣＣＥスターティングオフセット値を決定する例（最初の例）においては、ＥＰＤＣＣＨセットを設定する時、対応するＥＰＤＣＣＨセットによりサポートされる全ての集合レベルに対して適用する１つのＥＣＣＥオフセット値（ＥＣＣＥｏｆｆｓｅｔ）が決定され、対応する端末に上位階層シグナリングにより転送できる。この場合、端末は、対応するＥＰＤＣＣＨセットでブラインドデコーディングを遂行するように定義された全ての集合レベルに対して同一なＥＣＣＥスターティングオフセット値を適用することができる。即ち、あるＥＰＤＣＣＨセットが２ＮのＥＣＣＥまたは４Ｎ個のＥＣＣＥで構成された場合に、図９に図示した（ＮＥＣＣＥ＝４Ｎの場合）ように、ＥＣＣＥｏｆｆｓｅｔ値を'Ｎ'に決定できる。ここで、２ＮのＥＣＣＥはＥＣＣＥ  ＃０からＥＣＣＥ  ＃（２Ｎ−１）を含み、４Ｎ個のＥＣＣＥはＥＣＣＥ  ＃０からＥＣＣＥ  ＃（４Ｎ−１）を含む。この場合に該当端末は同一なＥＣＣＥｏｆｆｓｅｔ（例えば、ＥＣＣＥ  ＃Ｎ）を、対応するＥＰＤＣＣＨセットでブラインドデコーディングのために定義された全ての集合レベル（ＡＬ）に適用することができる。したがって、この場合に、ブラインドデコーディングは全ての集合レベル（ＡＬ）に対してＥＣＣＥ  ＃Ｎから始めることができる。
【００８８】
ＥＣＣＥスターティングオフセット値を設定する方法に対する他の例（第２の例）においては、ＥＣＣＥスターティングオフセット値が、対応するＥＰＤＣＣＨセットでサポートする集合レベル（ＡＬ）ごとに別途に決定され、対応する端末に上位階層シグナリングにより転送できる。即ち、あるＥＰＤＣＣＨセットがＸ個の集合レベル（ＡＬ）をサポートするように形成された場合、ＥＣＣＥスターティングオフセット値は集合レベル（ＡＬ）ごとに異なるように決定され、対応する端末に上位階層シグナリングにより転送できる。ここで、集合レベルごとに異なるＥＣＣＥスターティングオフセット値はＥＣＣＥｏｆｆｓｅｔ,１,ＥＣＣＥｏｆｆｓｅｔ,２,．．．,ＥＣＣＥｏｆｆｓｅｔ,ｘとして表示することができる。この場合、該当端末は異なるスターティングオフセット値（即ち、集合レベルごとに決定されたＥＣＣＥスタートオフセット値）を、対応するＥＰＤＣＣＨセットでブラインドデコーディングのために定義された集合レベル（ＡＬ）ごとに適用することができる。したがって、この場合にブラインドデコーディングは集合レベル（ＡＬ）ごとに別途に決定されたＥＣＣＥオフセット値に対応するＥＣＣＥインデックスから始めることができる。
【００８９】
例えば、局所型ＥＰＤＣＣＨセット設定時、端末のブラインドデコーディングと関連した集合レベル（ＡＬ）が１、２、及び４として定義された場合、端末のための３個のＥＣＣＥオフセット値（例えば、ＥＣＣＥｏｆｆｓｅｔ、１、ＥＣＣＥｏｆｆｓｅｔ、２、ＥＣＣＥｏｆｆｓｅｔ、３）が決定できる。したがって、集合レベル（ＡＬ）１に対し、対応する端末により遂行されるブラインドデコーディングはＥＣＣＥｏｆｆｓｅｔ、１に該当するＥＣＣＥインデックスから始めることができる。同様に、集合レベル（ＡＬ）２に対し、対応する端末により遂行される対応するブラインドデコーディングはＥＣＣＥｏｆｆｓｅｔ、２に該当するＥＣＣＥインデックスから始めることができる。集合レベル（ＡＬ）４に対し、対応する端末により遂行される対応するブラインドデコーディングはＥＣＣＥｏｆｆｓｅｔ、３に該当するＥＣＣＥインデックスから始めることができる。
【００９０】
実施形態：２．暗黙的構成（Implicit configuration）
【００９１】
0006007333.tif 000004
【００９２】
より具体的には、検索空間のスターティングオフセット（即ち、ＥＣＣＥスターティングオフセット）は端末のために形成された、あるＥＰＤＣＣＨセットで端末がブラインドデコーディングを始める位置を意味することができる。検索空間のスターティングオフセット（即ち、ＥＣＣＥスターティングオフセット）は前述したパラメータの関数として定義できる。例えば、検索空間スターティングオフセットは以下の＜数式２＞により定義できる。
【００９３】
＜数式２＞
ECCEoffset = f(RNTI, subframe index, AL, NECCE)
【００９４】
＜数式２＞で、ＮＥＣＣＥはＥＣＣＥの総個数を意味する。また、ＮＥＣＣＥは対応するＥＰＤＣＣＨセットに関連するＰＲＢサイズ（即ち、Ｎ値、例えば１つのＥＰＤＣＣＨセットを形成するＰＲＢの個数）と'１つのＥＣＣＥを形成するＥＲＥＧの個数'（"Ｍ"）により決定できる。
【００９５】
少なくとも１つの実施形態において、既存のＰＤＣＣＨでＵＥ−特定のＰＤＣＣＨモニタリング候補を決定する関数、即ち、上記の＜数式１＞により定義された関数が再使用できる。しかしながら、この場合、該当ＥＰＤＣＣＨセットの総ＥＣＣＥ個数（ＮＥＣＣＥ）に対応する２Ｎまたは４Ｎが、対応するサブフレームでのＰＤＣＣＨサイズに従う総ＣＣＥの個数（ＮＣＣＥ、ｋ）に代えて適用できる。
【００９６】
実施形態３：混合型構成（Hybrid configuration）
【００９７】
実施形態３に係るＥＣＣＥスターティングオフセットを設定する方法は、明示的構成（explicit configuration）と暗黙的構成（implicit configuration）との混合型（hybrid）に対応することができる。まず、ＥＰＤＣＣＨセット別ＥＣＣＥスターティングオフセット値を実施形態１に係るＥＣＣＥスターティングオフセットを設定する方法により決定し、対応する端末に上位階層シグナリングにより転送することができる。しかしながら、端末は、対応するＥＰＤＣＣＨが転送されるダウンリンクサブフレームインデックスに基づいて異なるＥＣＣＥスターティングオフセット（即ち、上位階層シグナリングによりシグナリングされたＥＣＣＥスターティングオフセット値と異なるＥＣＣＥスターティングオフセット）を使用することができる。即ち、対応するＥＰＤＣＣＨセットで、対応する端末が使用するＥＣＣＥスターティングオフセット値は、（i）'上位階層シグナリングを通じて該当端末に対して決定されたＥＣＣＥスターティングオフセット値'（"明示的シグナリングを通じてのＥＣＣＥスターティングオフセット値"という）と、（ii）ダウンリンクサブフレームインデックスの関数に基づいて決定できる。したがって、ＥＰＤＣＣＨが転送される全てのダウンリンクサブフレームに同一なオフセット値を適用しない。即ち、ダウンリンクサブフレーム別にＥＣＣスターティングオフセット値をホッピングすることによって、端末が常に同一な検索空間について、対応するダイバーシティ（diversity）効果を提供することができる。
【００９８】
代りに、（i）明示的シグナリング（explicit signaling）を通じてのオフセット値、（ii）ダウンリンクサブフレームインデックスと、（iii）対応する端末のＲＮＴＩをパラメータにして実際に適用する検索空間スターティングオフセット値（即ち、ＥＣＣＥスターティングオフセット値）を獲得することができる。即ち、該当端末がモニタリングしなければならないＥＰＤＣＣＨ検索空間は、（i）上位階層シグナリング（すなわち、明示的シグナリング（explicit signaling）を通じて決定されたオフセット値）を通じて設定されたオフセット値、（ii）ダウンリンクサブフレームインデックス、及び（iii）対応する端末のＲＮＴＩの関数に基づいて決定できる。ここで、ＥＰＤＣＣＨ検索空間はダウンリンクサブフレームで該当端末のために形成された任意のＥＰＤＣＣＨセットで該当端末がモニタリングしなければならない検索空間を意味する。代りに、モニタリングしなければならない検索空間のスターティングオフセット（即ち、ＥＣＣＥスターティングオフセット）は、（i）シグナリングパラメータ（即ち、明示的シグナリング（explicit signaling）を通じてのオフセット値）、（ii）ダウンリンクサブフレームインデックス、（iii）ＥＰＤＣＣＨセットサイズの関数に基づいて決定できる。
【００９９】
以上、実施形態１から実施形態３に係る検索空間のスターティングオフセット（即ち、ＥＣＣＥスターティングオフセット）を設定する方法を説明した。以下、後続のブラインドデコーディング試みのためのＥＣＣＥインデックスを決定する方法と関連した実施形態を詳細に説明する。
【０１００】
＜２．ＥＣＣＥホッピング＞
【０１０１】
任意のＥＰＤＣＣＨ端末はＥＣＣＥスターティングオフセット値に該当するＥＣＣＥインデックスからブラインドデコーディングを遂行することができる。ここで、ＥＣＣＥスターティングオフセット値は実施形態１から３により集合レベル（ＡＬ）毎に決定できる。集合レベル（ＡＬ）は対応する端末のために形成されたＥＰＤＣＣＨセットでブラインドデコーディングのために定義できる。一方、ある集合レベル（ＡＬ）で遂行されなければならないブラインドデコーディングの回数は、複数個でありうる。この場合に、対応する端末が該当ＡＬでモニタリングしなければならないＥＰＤＣＣＨ候補の個数（すなわち、ＥＰＤＣＣＨモニタリング候補の数）は複数個でありうる。この場合に、最初のブラインドデコーディングの試行の以後の後続ブラインドデコーディングを遂行するＥＣＣＥインデックスを定義する必要がある。ここで、最初のブラインドデコーディングの試行は前述したＥＣＣＥスターティングオフセットと関連している。
【０１０２】
本実施形態は後続のブラインドデコーディングの試行のためのＥＣＣＥインデックス（または、複数のＥＣＣＥインデックス）を決定する方法を提供することができる。より具体的には、本実施形態は連続（contiguous）ＥＣＣＥに対して順次にブラインドデコーディングを遂行する方法と、ブラインドデコーディングの試行によってＥＣＣＥホッピングを遂行する方法を提供することができる。
【０１０３】
実施形態４：連続（contiguous）ＥＣＣＥ
【０１０４】
実施形態４に従って連続（contiguous）するＥＣＣＥに対して順次に後続のブラインドデコーディングを遂行することができる。前述したように、任意の端末のために形成されたＥＰＤＣＣＨモニタリングダウンリンクサブフレームの対応するＥＰＤＣＣＨセットで集合レベルごとにＥＣＣＥスターティングオフセット値を、前述した実施形態１から３により決定できる。ＥＣＣＥスターティングオフセット値が前述した実施形態１から３により決定された場合、上述した実施形態４により、連続するＥＣＣＥのブランドでコーディングを順次遂行する方法が適用できる。より具体的には、実施形態１から実施形態３によりＥＣＣＥスターティングオフセットが決定されると、端末はＥＰＤＣＣＨセットで、連続するＬ＊Ｔ個のＥＣＣＥに対してＥＰＤＣＣＨモニタリング（即ち、ブラインドデコーディング）を遂行することができる。ここに、Ｌは対応する集合レベル（ＡＬ）のサイズを意味し、Ｔは決定されたブラインドデコーディングの回数を表わす。連続するＬ＊Ｔ個のＥＣＣＥは対応するＥＣＣＥスターティングオフセット値から開始することができる。特に、連続するＬ＊Ｔ個のＥＣＣＥに対してＥＰＤＣＣＨモニタリングは'Ｌ'のＣＣＥの単位（即ち、Ｌ個のＣＣＥの単位）で遂行できる。即ち、対応するＥＰＤＣＣＨセットでサポートする、対応する集合レベル（'Ｌ'のサイズを有する）に基づいて遂行しなければならないブラインドデコーディング回数が'Ｔ'に設定され、前述した実施形態１から３により決定されたＥＣＣＥスターティングオフセット値がｏｆｆｓｅｔＬの場合、該当端末はＥＣＣＥ ＃ｏｆｆｓｅｔＬからＥＣＣＥ ＃（ｏｆｆｓｅｔＬ＋Ｌ＊Ｔ−１）に該当するＥＣＣＥのブラインドデコーディングを遂行することができる。特に、この場合にブラインドデコーディングはＬ個のＥＣＣＥを単位で遂行することができる。
【０１０５】
例えば、任意の端末のための、ある局所型（localized）ＥＰＤＣＣＨセットは、連続的な８個のＰＲＢで構成できる。前述した基準により１つのＥＣＣＥを形成するＥＲＥＧの個数が'４'の場合、ＥＰＤＣＣＨセットは総数３２個（＝８＊４）のＥＣＣＥで構成できる。対応するＥＰＤＣＣＨセットで集合レベル（ＡＬ）２に基づいて対応する端末により遂行されるブラインドデコーディングの回数が'６'であり、ＥＣＣＥオフセット値が'１６'の場合、該当端末はＥＣＣＥ  ＃１６及びＥＣＣＥ  ＃１７を最初にブラインドデコーディングすることができる。端末は、引き続いて（i）ＥＣＣＥ  ＃１８及びＥＣＣＥ  ＃１９、（ii）ＥＣＣＥ  ＃２０及びＥＣＣＥ  ＃２１、（iii）ＥＣＣＥ  ＃２２及びＥＣＣＥ  ＃２３、（iv）ＥＣＣＥ  ＃２４及びＥＣＣＥ  ＃２５、及び（v）ＥＣＣＥ  ＃２６及びＥＣＣＥ  ＃２７をブラインドデコーディングすることができる。
【０１０６】
しかしながら、この場合、（ｏｆｆｓｅｔＬ＋Ｌ＊Ｔ）に対応する値が対応するＥＰＤＣＣＨセットを形成する総ＥＣＣＥ個数（'ＮＥＣＣＥ'＝２Ｎまたは４Ｎ）を超過した場合、対応するブラインドデコーディングは、対応する端末がブラインドデコーディングを遂行しなければならない検索空間に対応するするＥＣＣＥ  ＃０からサイクリック（cyclic）に遂行できる。即ち、ｏｆｆｓｅｔＬ＋Ｌ＊Ｔ−ＮＥＣＣＥだけのＥＣＣＥで構成された検索空間はＥＣＣＥ  ＃０〜ＥＣＣＥ  ＃（ｏｆｆｓｅｔＬ＋Ｌ＊Ｔ−ＮＥＣＣＥ−１）まで設定できる。
【０１０７】
実施形態５：ＥＣＣＥホッピング
【０１０８】
端末がブラインドデコーディングを遂行する検索空間を形成する更に他の方法であって、後続ブラインドデコーディングを遂行しなければならないＥＰＤＣＣＨモニタリング候補（以後、"ＥＰＤＣＣＨ候補"という）がＥＰＤＣＣＨセットで集合レベル（ＡＬ）ごとに決定（または定義）できる。ここで、後続ブラインドデコーディングはＥＣＣＥスターティングオフセットと関連したＥＣＣＥがブラインドデコーディングされた後、引き続いてブラインドデコーディングされる次のブラインドデコーディングを意味することができる。ＥＣＣＥスターティングオフセットは、前述した実施形態１から実施形態３により決定できる。特に、後続ブラインドデコーディングと関連するＥＰＤＣＣＨモニタリング候補は一定数のＥＣＣＥをホッピングすることにより決定できる。即ち、体層するＥＰＤＣＣＨセットによりサポートされる対応する集合レベル（'Ｌ'のサイズを有する）に基づいて遂行されるブラインドデコーディングの回数（即ち、ＥＰＤＣＣＨモニタリング候補の回数）がＴに設定され、ＥＣＣＥスターティングオフセット値がｏｆｆｓｅｔＬに決定された場合、対応する集合レベル（ＡＬ）に基づくＴ個のＥＰＤＣＣＨ検索空間を形成するＥＣＣＥインデックスはＥＣＣＨホッピングパラメータ（"Ｈ"）を使用して、次の通り定義できる。
【０１０９】
＜数式３＞
集合レベル（"Ｌ"）の（ｐ＋１）番目の検索空間：ｐ＝ｎに対して、ＥＣＣＥ  ＃（ｏｆｆｓｅｔＬ＋ｐ＊Ｈ）からＥＣＣＥ  ＃（ｏｆｆｓｅｔＬ＋ｐ＊Ｈ＋Ｌ−１）
【０１１０】
即ち、最初の検索空間に対してブラインドデコーディングを遂行した後、ＥＣＣＥ ＃（ｏｆｆｓｅｔＬ＋Ｈ）から＃（ｏｆｆｓｅｔＬ＋Ｈ＋Ｌ−１）を含む２番目検索空間に対してブラインドデコーディングを遂行する。ここで、２番目検索空間は任意のＥＣＣＥホッピング値（Ｈ）によって決定できる。さらに、｛ＥＣＣＥ  ＃（ｏｆｆｓｅｔＬ＋２Ｈ）から＃（ｏｆｆｓｅｔＬ＋２Ｈ＋Ｌ−１）｝，．．．，｛ＥＣＣＥ ＃（ｏｆｆｓｅｔＬ＋（Ｔ−１）Ｈ）〜＃（ｏｆｆｓｅｔＬ＋（Ｔ−１）Ｈ＋Ｌ−１）｝を含むＴ個の検索空間の各々に対してブラインドデコーディングを遂行することができる。この際、あるｎ＋１番目検索空間（即ち、ｐ＝ｎ）を形成するＥＣＣＥインデックスが、対応するＥＰＤＣＣＨセットを構成する'総ＥＣＣＥの個数'（即ち、ＮＥＣＣＥ）を超過する場合、対応するデコーディング手続は実施形態４で記述された連続した（contiguous）場合と同様に、該当ＥＰＤＣＣＨセットの最初のＥＣＣＥに該当するＥＣＣＥ ＃０にサイクリックに戻る。したがって、この場合には、対応する検索空間（即ち、n＋１番目の検索空間）はＥＣＣＥ ＃０に割り当てできる。
【０１１１】
しかしながら、サイクリックシフト（cyclic shift）が、'ＥＰＤＣＣＨモニタリング候補'を決定するために適用される場合、（i）（ｎ＋１）番目のＥＰＤＣＣＨモニタリング候補及びその後続の対応するＥＰＤＣＣＨモニタリング候補を形成するＥＣＣＥと、（ii）（ｎ＋１）番目のＥＰＤＣＣＨモニタリング候補（即ち、ｐ＝ｎ）の'以前のＥＰＤＣＣＨモニタリング候補'を形成するＥＣＣＥとの重複（overlap）が発生する場合がある。したがって、ＥＰＤＣＣＨモニタリング候補は重複を避けるために'対応する集合レベル（ＡＬ）のサイズ'（"Ｌ"）、ＥＣＣＥをシフティングして決定できる。即ち、前述した＜数式３＞で（ｐ＝ｎ値に対して）該当ｏｆｆｓｅｔＬ＋ｎ＊Ｈ＞ＮＥＣＣＥの場合、ｐ＝ｎ値に対する検索空間は以下の＜数式４＞の通り定義できる。
【０１１２】
＜数式４＞
集合レベル（"Ｌ"）の（ｐ＋１）番目の検索空間：ｐ＝ｎに対して、ＥＣＣＥ  ＃（ｏｆｆｓｅｔＬ＋ｐ＊Ｈ−ＮＥＣＣＥ＋Ｌ）からＥＣＣＥ  ＃（ｏｆｆｓｅｔＬ＋ｐ＊Ｈ−ＮＥＣＣＥ＋２Ｌ−１）
【０１１３】
＜数式４＞で、ｎ＝０,１,２，．．．，Ｔ−１、及びｏｆｆｓｅｔＬ＋ｎ＊Ｈ≧ＮＥＣＣＥである。
【０１１４】
ｐ＝ｎの場合の上記の内容を一般化して、'ｍ'回のＥＣＣＥサイクリックシフト（cyclic shift）が対応する検索空間に対して遂行できる。したがって、対応する検索空間はＥＣＣＥサイクリックシフトを通じて'ｍＬ'だけシフトできる。即ち、＜数式３＞でｏｆｆｓｅｔＬ＋ｎ＊Ｈ≧ｍＮＥＣＣＥの場合、ｐ＝ｎに対して検索空間は以下の＜数式５＞により定義できる。
【０１１５】
＜数式５＞
集合レベル（"Ｌ"）の（ｐ＋１）番目の検索空間：ｐ＝ｎに対して、ＥＣＣ  ＃（ｏｆｆｓｅｔＬ＋ｐ＊Ｈ−ｍＮＥＣＣＥ＋ｍＬ）からＥＣＣ  ＃（ｏｆｆｓｅｔＬ＋ｐ＊Ｈ−ｍＮＥＣＣＥ＋ｍＬ＋Ｌ−１）
【０１１６】
＜数式５＞で、ｎ＝０,１,２，．．．，Ｔ−１、及びｏｆｆｓｅｔＬ＋ｎ＊Ｈ≧ｍＮＥＣＣＥ（ｍ＝０,１,２,３,．．．）である。
【０１１７】
代りに、サイクリックシフティング（cyclic shifting）が遂行された場合に、無条件的に'集合レベルのサイズ'（ＡＬ）だけＥＣＣＥシフトが遂行される必要はない。言い換えると、以前のＥＰＤＣＣＨモニタリング候補に対応するＥＣＣＥと重複（overlap）する場合のみに'集合レベルのサイズ'（ＡＬ）だけＥＣＣＥシフティングを遂行することができる。
【０１１８】
ＥＣＣＥホッピング値（"Ｈ"）を決定する方法は、実施形態２に従って検索空間のスターティングオフセットの明示的構成方法と同一な方法により遂行できる。より具体的には、ＥＰＤＣＣＨセット形成時、対応するＥＣＣＥホッピング値（"Ｈ"）が端末に上位階層シグナリングにより転送できる。このように、ＥＰＤＣＣＨセット設定のための上位階層シグナリング（higher layer signaling）パラメータに、対応するＥＣＣＥホッピング値（"Ｈ"）を含む場合、各々のＥＰＤＣＣＨセット別の単一のＨ値を決定することができる。したがって、この場合、対応するＥＰＤＣＣＨセットで遂行するように定義された全ての集合レベルに同一なＨ値を適用することができる。代りに、対応するＥＰＤＣＣＨセットで定義された集合レベル（ＡＬ）ごとのＨ値を各々設定し、上位階層によりシグナリングすることができる。
【０１１９】
更に他の実施例として、対応するＨ値（即ち、対応するホッピング値）は、（i）１つの対応するＥＰＤＣＣＨセットのサイズ、（ii）前述した１つのＥＣＣＥを形成するＥＲＥＧの個数、及び／又は（iii）集合レベル（ＡＬ）のサイズなどによって暗黙的に決定できる。例えば、Ｈ値は、（i）ＮＥＣＣＥ、即ち１つのＰＲＢに含まれるＥＣＣＥの個数、及び（ii）集合レベル（ＡＬ）のサイズ（"Ｌ"）のうち、大きい値に決定できる。ここで、１つのＥＣＣＥを構成するＥＲＥＧの個数を"Ｅ"とする場合、１つのＰＲＢに含まれるＥＣＣＥの個数（即ち、ＮＥＣＣＥ）は１６／Ｅに対応する。即ち、Ｈ値はＨ＝ｍａｘ（１６／Ｅ、Ｌ）により決定できる。ここで、（i）ノーマルＣＰを有するノーマルサブフレーム、及び（ii）スペシャルサブフレーム構成３、４、８及びノーマルＣＰを有するスペシャルサブフレームの場合に、'Ｅ'値は４（Ｅ＝４）でありうる。（i）スペシャルサブフレーム構成１、２、６、７、９、及びノーマルＣＰを有するスペシャルサブフレーム、（ii）拡張ＣＰを有するノーマルサブフレーム、及び（iii）スペシャルサブフレーム構成１、２、３、５、６、及び拡張ＣＰを有するサブフレームの場合に、'Ｅ'値が８（Ｅ＝８）でありうる。
【０１２０】
他の実施形態に、対応するＨ値（即ち、対応するホッピング値）は、（i）対応するＥＰＤＣＣＨセットのサイズ（例えば、１つのＥＰＤＣＣＨセットがＮ個のＰＲＢ等のグループで構成される場合のＮ値）、（ii）Ｔ値、即ち、対応するＥＰＤＣＣＨセットで対応する集合レベルのサイズ（'Ｌ'のサイズを有する）に基づいて遂行されたブラインドデコーディング回数（即ち、ＥＰＤＣＣＨモニタリング候補の数）、（iii）集合レベル（ＡＬ）のサイズ（"Ｌ"）、及び（iv）Ｅ値、即ち１つのＥＣＣＥを形成するＥＲＥＧの個数のうち、少なくとも１つを含む関数により暗黙的に決定できる。例えば、不連続的なＥＣＣＥのＥＣＣＥホッピング値は、対応するＥＰＤＣＣＨセットのＥＣＣＥの総個数、集合レベル及び／又は対応する集合レベルに基づいて端末がモニタリングしなければならないＥＰＤＣＣＨ候補の個数の関数により決定でき、これに制限されるものではない。より具体的には、不連続的なＥＣＣＥのＥＣＣＥホッピング値は、［対応するＥＰＤＣＣＨセットのＥＣＣＥの総個数］を［集合レベル］および［対応する集合レベルに基づいて端末がモニタリングしなければならないＥＰＤＣＣＨ候補の個数］により割算する処理の値の関数により決定できる。
【０１２１】
この場合、対応するＥＣＣＥホッピング値（Ｈ）は以下の＜数式６＞または＜数式７＞により決定できる。ここで、［ｘ］はｘを超えない最大整数を意味する。
【０１２２】
＜数式６＞
Ｈ＝ｍａｘ（ａ●ｂ，Ｌ）ただし、a=max(1 , [N/T]) であり b=16/Eである。
【０１２３】
＜数式７＞
Ｈ＝ｍａｘ（ａ●ｂ，Ｌ）ただし、a=[N/T] であり b=16/Eである。
【０１２４】
'Ｈ＝ｍａｘ'（または、ホッピングパラメータ）は、ＥＰＤＣＣＨセット設定時、上位階層でシグナリングできる。ここで、'Ｈ＝ｍａｘ'は簡単に"ｈ"とすることができる。一方、実際に適用するＥＣＣＥホッピング値（"Ｈ"）は'シグナリングされたホッピングパラメータ（"ｈ"）'及び／又は他の暗黙的パラメータ（例えば、集合レベルサイズ（Ｌ）、ＥＰＤＣＣＨセットのサイズ（例えば、ＮまたはＮＥＣＣＥ（＝２Ｎまたは４Ｎ）など）の関数で決定できる。例えば、対応する端末のためにシグナリングされた'ｈ'値によって集合レベル（ＡＬ）ごとにホッピング値（例えば、Ｈ＝ｍａｘ（ｈ，Ｌ））を決定する混合型構成方法は、本実施形態の範疇に含まれることができる。
【０１２５】
他の実施形態に、追加的にＣＡ（Carrier Aggregation）端末のうち、クロスキャリアスケジューリング（cross carrier scheduling）が活性化（activation）された端末の場合、前述したスターティングオフセット値（即ち、ＥＣＣＥスターティングオフセット値）が各々の対応する要素搬送波（Component Carrier：ＣＣ）別に別途に割り当てできる。即ち、各々の要素搬送波（ＣＣ）別に異なる検索空間オフセット値をシグナリングすることができる。更に他の実施形態に、要素搬送波（ＣＣ）別にcarrier index値を前述した検索空間オフセット値を生成する関数に適用することができる。ここで、carrier index値はスケジューリンググラント（scheduling grant）のＣＩＦ（Carrier Indicator Field）に適用される値に対応することができる。代りに、ＥＰＤＣＣＨモニタリング時（即ち、ＥＰＤＣＣＨセットで、ある集合レベル（ＡＬ）に基づいてブラインドデコーディング時）、検索空間が前述した実施形態４及び５によって連続（contiguous）して設定されるか、またはＥＣＣＥホッピングを通じて構成できる。特に、この場合に第１セル（primary cell：Ｐｃｅｌｌ）の検索空間と第２セル（secondary cell：Ｓｃｅｌｌ））の検索空間はＣＩＦの昇順に続くことができる。言い換えると、第１セル（Ｐｃｅｌｌ）の検索空間が用いられた後に、第２セル（Ｓｃｅｌｌ）の検索空間が陥られる。
【０１２６】
本実施形態において、ＥＰＤＣＣＨセットでＥＰＤＣＣＨモニタリング動作（即ち、ブラインドデコーディング）を遂行する端末のためのＥＰＤＣＣＨモニタリング候補（即ち、検索空間）が上述のように設定できる。特に、本実施形態におけるＥＰＤＣＣＨモニタリング候補の決定方法（即ち、全ての検索空間の決定方法）は、（i）実施形態１から３のうちの少なくとも１つと、（ii）実施形態４及び５のうちの少なくとも１つの組合せにより具体化できる。
【０１２７】
他の実施形態において、（i）検索空間のスターティングオフセット値（即ち、ＥＣＣＥオフセット値）が直接明示的にシグナリングされるか、（ii）混合型に該当オフセット値を決定するためのパラメータが上位階層にシグナリングできる。この場合、ＥＣＣＥホッピング値（"Ｈ"）及び／又は関連パラメータが追加でシグナリングできる。即ち、ＥＰＤＣＣＨセットでの任意の端末のための検索空間設定パラメータである'ＥＣＣＥスターティングオフセットパラメータ'と'ＥＣＣＥホッピング関連（related）パラメータ'との両方がシグナリングできる。この場合、パラメータ決定のための構成表（configuration table）を定義した後、ＥＰＤＣＣＨセット別に適用する構成（configuration）インデックスをシグナリングすることができる。検索空間構成表（configuration table）はＥＰＤＣＣＨタイプ別に定義できる。したがって、検索空間構成表（configuration table）は、（i）局所型（localized）ＥＰＤＣＣＨセットのための検索空間構成表（configuration table）と、（ii）分散型ＥＰＤＣＣＨセットのための検索空間構成表（configuration table）を含むことができる。代りに、検索空間構成表は、（i）ＥＰＤＣＣＨのサイズ、または（ii）１つのＥＣＣＥを形成するＥＲＥＧの個数に基づいて定義できる。特に、検索空間構成表が'ＥＲＥＧの個数'（"Ｅ"）に基づいて定義される場合、２つの検索空間構成表（例えば、Ｅ＝４及びＥ＝８に対する構成表）が定義できる。構成表に基づく検索空間マッピングと関連した全ての実施形態は本実施形態の範疇に含まれることができる。
【０１２８】
端末がＥＰＤＣＣＨを介してＤＣＩを受信するように設定された場合、本実施形態はＤＣＩを受信する方法を提供する。
【０１２９】
図１０は、他の実施形態に係る端末のデータ領域に位置するダウンリンク制御チャネルを受信する方法を示すフローチャートである。
【０１３０】
図１０を参照すると、端末はデータ領域に位置するダウンリンク制御チャネルを受信する方法（１０００）を遂行することができる。より具体的には、ステップＳ１０１０で、端末はサブフレームでＫ個のＥＰＤＣＣＨセット（Enhanced Physical Downlink Control Channel set）の各々を形成するＮ個の資源ブロックの対（例えば、ＰＲＢの対）のデータ領域を通じてＥＰＤＣＣＨ（Enhanced Physical Downlink Control Channel）を送受信ポイントから受信することができる。ここに、ＫとＮは"１"以上の自然数である。ステップＳ１０２０で、端末はＥＰＤＣＣＨ  ＵＥ−特定の検索空間でダウンリンク制御情報（ＤＣＩ）フォーマットによって各ＥＰＤＣＣＨセット内でＥＰＤＣＣＨをデコーディングすることができる。
【０１３１】
前述したように、ＰＲＢの対の各々は１６個の向上したリソースエレメントグループ（Enhanced Resource Element Groups：ＥＲＥＧｓ）を含むことができる。また、ＥＰＤＣＣＨ転送の基本単位となる、向上した制御チャネル要素（Enhanced Control Channel Element：ＥＣＣＥ）は４個または８個のＥＲＥＧを含むことができる。
【０１３２】
0006007333.tif 000005
【０１３３】
より詳細には、検索空間のスターティングオフセット（即ち、ＥＣＣＥスターティングオフセット）は、端末のために形成された任意のＥＰＤＣＣＨセットで対応する端末がブラインドデコーディングを始める位置を意味することができる。検索空間のスターティングオフセット（即ち、ＥＣＣＥスターティングオフセット）は、前述したパラメータの関数として定義できる。例えば、検索空間のスタートオフセットはＥＣＣＥｏｆｆｓｅｔ＝ｆ（ＲＮＴＩ，サブフレームのインデックス，ＡＬ、ＮＥＣＣＥ）により定義できる。
【０１３４】
上記の＜数式１＞により定義された関数、即ち既存のＰＤＣＣＨでの'ＵＥ−特定のＰＤＣＣＨモニタリング候補'を決定する関数が再使用できる。しかしながら、この場合、前述したように、ＥＣＣＥの総個数（ＮＥＣＣＥ，ｋ）に対応する２Ｎまたは４Ｎが、対応するサブフレームでのＰＤＣＣＨサイズに従う。
【０１３５】
一方、ＥＰＤＣＣＨをデコーディングする動作（Ｓ１０２０）において、端末は集合レベル単位で対応する集合レベルに基づいてモニタリングしなければならない回数、連続的なＥＣＣＥをモニタリングすることができる。任意の端末のために形成された'ＥＰＤＣＣＨモニタリングダウンリンクサブフレーム'の対応するＥＰＤＣＣＨセットでの集合レベルごとのＥＣＣＥスターティングオフセット値が前述した実施形態１から３により決定できる。ＥＣＣＥスターティングオフセット値が前述した実施形態１から３により決定される時、端末は前述したように、実施形態４に従う連続（contiguous）するＥＣＣＥに対して順次にブラインドデコーディングを遂行することができる。より具体的には、ＥＣＣＥスターティングオフセット値が前述した実施形態１から３により決定される時、端末はＥＰＤＣＣＨセットで連続するＬ＊Ｔ個のＥＣＣＥに対してＥＰＤＣＣＨモニタリング動作（即ち、ブラインドデコーディング）を遂行することができる。ここで、Ｌは、対応する集合レベル（ＡＬ）のサイズを示し、Ｔは、決定されたブラインドデコーディング回数を示す。連続するＬ＊Ｔ個のＥＣＣＥを対応するＥＣＣＥスターティングオフセット値から始めることができる。特に、連続するＬ＊Ｔ個のＥＣＣＥに対してＥＰＤＣＣＨモニタリング動作は'Ｌ'個のＣＣＥの単位で遂行できる。
【０１３６】
一方、ＥＰＤＣＣＨをデコーディングする動作（Ｓ１０２０）において、前述した実施形態５で説明した通り、端末は集合レベル単位（即ち、集合レベルに該当するＥＣＣＥの個数の単位）で不連続的なＥＣＣＥをモニタリングすることができる。この場合に、不連続的なＥＣＣＥのＥＣＣＥホッピング値を、（i）対応するＥＰＤＣＣＨセットに含まれるＥＣＣＥの総個数、（ii）集合レベル、及び（iii）対応する集合レベルに基づいて端末がモニタリングしなければならないＥＰＤＣＣＨ候補の個数の関数で決定することができる。前述したように、端末がブラインドデコーディングを遂行する検索空間を形成する更に他の方法によって、後続ブラインドデコーディングを遂行しなければならない'ＥＰＤＣＣＨモニタリング候補'がＥＰＤＣＣＨセットで集合レベル（ＡＬ）別に決定（または定義）できる。ここで、後続ブラインドデコーディングはＥＣＣＥスターティングオフセットと関連したＥＣＣＥがブラインドデコーディングされた後、引き続いてブラインドデコーディングされる次のブラインドデコーディングを意味する。ＥＣＣＥスターティングオフセットは前述した実施形態１から実施形態３に従って決定できる。特に、後続ブラインドデコーディングと関連したＥＰＤＣＣＨモニタリング候補は、一定数のＥＣＣＥをホッピングすることにより決定できる。前述したように、暗黙的に決定される更に他の方法として、検索空間は、（i）'Ｎ'値、即ち対応するＥＰＤＣＣＨセットのサイズ（１つのＥＰＤＣＣＨセットが'Ｎ'個のＰＲＢのグループで構成される場合）、（ii）'Ｔ'値、即ち、あるＥＰＤＣＣＨセットで集合レベル（ＡＬ）に基づいて遂行するブラインドデコーディング回数（即ち、ＥＰＤＣＣＨモニタリング候補の数）、（iii）'Ｌ'値、即ち集合レベルのサイズ、及び／又は（iv）'Ｅ'値、即ち１つのＥＣＣＥを形成するＥＲＥＧの個数の関数により決定できる。
【０１３７】
一方、端末がキャリア指示フィールド（Carrier Indication Field：ＣＩＦ）を有するように構成されている場合、ＥＣＣＥを定義した関数にキャリア指示フィールド値を適用することもできる。オフセット値を生成する関数に要素キャリア（ＣＣ）別ＣＩ（carrier index）値を適用することができる。ここで、ＣＩ（carrier index）値はスケジューリンググラント（scheduling grant）のＣＩＦ（Carrier Indicator Field）に適用される値でありうる。
【０１３８】
一方、ＥＰＤＣＣＨセットは局所型ＥＰＤＣＣＨ転送または分散型ＥＰＤＣＣＨ転送のうちの１つで形成できる。集合レベル（aggregation level）は、１、２、４、８、１６、３２のうちの１つでありうる。また、ノーマルサブフレームおよびノーマルＣＰについて、ＥＰＤＣＣＨ転送可能なＲＥの数がしきい値（Xthresh）より小さい場合、ならびにスペシャルサブフレーム構成３、４、８およびノーマルＣＰについてＥＰＤＣＣＨ転送可能なＲＥの数がしきい値（Xthresh）より小さい場合（以下、"ケース１"という）、局所型ＥＰＤＣＣＨセットは集合レベル２、４、８、及び１６をサポートするように定義されることができ、分散型ＥＰＤＣＣＨセットは集合レベル２、４、８、１６、及び３２をサポートするように定義することができる。そうでなければ、（以下、"ケース２"という）、局所型ＥＰＤＣＣＨセットは集合レベル１、２、４、及び８をサポートするように定義されることができ、分散型ＥＰＤＣＣＨセットは集合レベル１、２、４、８、及び１６をサポートするように定義することができる。
【０１３９】
図１１は、一部の実施形態に係る基地局の構成を示す図である。
【０１４０】
図１１を参照すると、少なくとも１つの実施形態に係る基地局１１００は、制御部１１１０、送信部１１２０、及び受信部１１３０を含むことができる。ここに、基地局１１００はＥＰＤＣＣＨ  ＵＥ−特定の検索空間にデータ領域に位置するダウンリンク制御チャネルを設定する送受信ポイントでありうる。
【０１４１】
制御部１１１０は、前述した本実施形態を遂行することに必要とする動作（即ち、基地局１１００の動作）を制御することができる。より具体的には、制御部１１１０は端末のためのＥＰＤＣＣＨセットでの集合レベルごとのブラインドデコーディングと関連する動作（即ち、基地局の動作）を制御する。ここで、端末はダウンリンク制御チャネルであるＥＰＤＣＣＨを介してＤＣＩ（Downlink Control Information）を受信するように設定されている。
【０１４２】
より詳細には、制御部１１１０はＥＰＤＣＣＨ  ＵＥ−特定の検索空間にデータ領域に位置するダウンリンク制御チャネルを形成（または定義）することができる。ここで、ＥＰＤＣＣＨはサブフレームでＫ個のＥＰＤＣＣＨセットの各々を形成するＮ個の物理的資源ブロック（Physical Resource Blockの対（例えば、ＰＲＢの対）のデータ領域に位置できる。Ｋと上記Ｎは１以上の自然数でありうる。前述したように、各ＰＲＢの対は１６個のＥＲＥＧを含み、各ＥＣＣＥは４個または８個のＥＲＥＧを含むことができる。
【０１４３】
また、制御部１１１０は検索空間ｍｐスターティングオフセット（即ち、ＥＣＣＥスターティングオフセット）を、（i）暗黙的構成方法、（ii）明示的構成方法、及び（iii）混合型構成方法のうちの１つを使用して決定することができる。例えば、暗黙的構成方法の場合、制御部１１１０は端末のＲＮＴＩ、サブフレームのインデックス、集合レベル（aggregation level）、１つのＥＰＤＣＣＨセットの総ＥＣＣＥの個数の関数を使用してＥＰＤＣＣＨ  ＥＵ−特定の検索空間にＥＣＣＥを形成（定義）することができる。
【０１４４】
送信部１１２０と受信部１１３０は、前述した本実施形態を遂行することに必要とする信号やメッセージ、および／またはデータを端末と関連して送受信することができる。例えば、送信部１１２０はＥＰＤＣＣＨ  ＵＥ−特定の検索空間に形成（または定義）されたＥＣＣＥを端末にＥＰＤＣＣＨを介して転送することができる。
【０１４５】
図１２は、いくつかの実施形態に係るユーザ端末の構成を示す図である。
【０１４６】
図１２を参照すると、本実施形態によるユーザ端末１２００は、受信部１２１０、制御部１２２０、及び送信部１２３０を含む。
【０１４７】
受信部１２１０は、基地局（例えば、基地局１１１０）からダウンリンク制御情報、データ、および／またはメッセージを、該当チャネルを介して受信する。ここで、基地局は送受信ポイントに該当することができる。受信部１２１０は、サブフレームでＫ個のＥＰＤＣＣＨセットの各々を形成するＮ個のＰＲＢの対のデータ領域を通じてＥＰＤＣＣＨを送受信ポイントから受信することができる。Ｋと上記Ｎは１以上の自然数でありうる。
【０１４８】
また、制御部１２２０は前述した本実施形態を遂行することに必要とする動作（即ち、端末１２００の動作）を制御することができる。具体的に、制御部１２２０は端末１２００のための形成されたＥＰＤＣＣＨセットでの集合レベルごとのブラインドデコーディングと関連する動作（即ち、端末１２００の動作）を制御する。ここで、端末１２００はダウンリンク制御チャネルであるＥＰＤＣＣＨを介してＤＣＩ（Downlink Control Information）を受信するように設定されている。また、制御部１２２０はＥＰＤＣＣＨ端末−特定検索空間で該当ダウンリンク制御情報フォーマットによって各ＥＰＤＣＣＨセット内でＥＰＤＣＣＨをデコーディングすることができる。この際、ＥＰＤＣＣＨ端末−特定検索空間でＥＰＤＣＣＨデコーディングと関連したＥＣＣＥは、（i）端末のＲＮＴＩ、（ii）サブフレームのインデックス、（iii）集合レベル（aggregation level）、及び（iv）ＮＥＣＣＥ、即ち１つのＥＰＤＣＣＨセットの総ＥＣＣＥの個数の関数により形成（定義）できる。
【０１４９】
送信部１２３０は基地局にダウンリンク制御情報、データ及び／又はメッセージを、該当チャネルを介して転送する。
【０１５０】
ＥＣＣＥは基地局１１００や端末１２００の動作と関連して、連続または不連続でありうる。より具体的には、ＥＣＣＥは集合レベル単位（即ち、集合レベルに該当するＥＣＣＥの個数の単位）で該当集合レベルに基づいてモニタリングしなければならない回数だけ連続的に形成されることもできる。代りに、ＥＣＣＥは集合レベル単位で不連続的に形成されることもできる。特に、分散型ＥＰＤＣＣＨセット及び／又は局所型ＥＰＤＣＣＨセットに対し、ＥＣＣＥが連続的でありうる。一方、分散型ＥＰＤＣＣＨセット及び／又は局所型ＥＰＤＣＣＨセットに対し、ＥＣＣＥが不連続的でありうる。前述したように、不連続的なＥＣＣＥのＥＣＣＥホッピング値は、（i）対応するＥＰＤＣＣＨセットのＥＣＣＥの総個数、（ii）集合レベル、及び（iii）対応する集合レベルに基づいて端末がモニタリングしなければならないＥＰＤＣＣＨ候補の個数の関数により決定されることもできる。一方、端末がキャリア指示フィールドを有するように構成されている場合、キャリア指示フィールド値を'ＥＣＣＥを定義する関数'（すなわち、ＥＣＣＥ定義関数）に適用できる。また、ＥＰＤＣＣＨセットの転送タイプは、集中型ＥＰＤＣＣＨ転送または分散型ＥＰＤＣＣＨ転送のうちの１つに対応することができる。
【０１５１】
前述した実施形態で言及された技術標準内容は本明細書に対する簡略な説明のために省略されたが、技術標準の関連内容は本明細書の一部を構成することができる。したがって、本明細書及び／又は請求範囲に標準関連内容を追加することは本発明の範囲に含まれるものとして解釈されるべきである。
【０１５２】
より詳しくは、含まれている文書は公開された文書の一部として本明細書の一部を構成することができる。したがって、本明細書及び／又は請求範囲に標準関連内容及び標準文書の一部を追加することは本発明の範囲に該当するものとして解釈されるべきである。
【０１５３】
上述のように、以上の説明は、本発明の技術思想を例示的に説明したことに過ぎないものであって、本発明の本質的な特性から外れない範囲で当業者による多様な修正及び変形が可能である。したがって、本発明に開示された実施形態は本発明の技術思想を限定するためのものではなく、説明するためのものであり、本発明の技術思想の範囲はこのような実施形態に限定されるものではない。本発明の保護範囲は請求範囲により解釈されなければならず、それと同等な範囲内にある全ての技術思想は本発明の権利範囲に含まれるものと解釈されるべきである。
【０１５４】
他の出願への参照
【０１５５】
本特許出願は、２０１２年９月１３日付で出願した韓国特許出願番号第１０−２０１２−０１０１７４７号、及び２０１３年０３月１５日付で出願した韓国特許出願番号第１０−２０１３−００２７８６６号に対し、米国特許法１１９（ａ）条（３５Ｕ．Ｓ．Ｃ§１１９（ａ））により優先権を主張し、その全ての内容は参考文献として本特許出願に併合される。
【図１】
0006007333.tif 000006
【図２】
0006007333.tif 000007
【図３】
0006007333.tif 000008
【図４】
0006007333.tif 000009
【図５】
0006007333.tif 000010
【図６】
0006007333.tif 000011
【図７】
0006007333.tif 000012
【図８】
0006007333.tif 000013
【図９】
0006007333.tif 000014
【図１０】
0006007333.tif 000015
【図１１】
0006007333.tif 000016
【図１２】
0006007333.tif 000017